(57)【特許請求の範囲】
【請求項１】
ワイヤレスローカルエリアネットワークにおいてデータパケット内のロングトレーニングシーケンスを送信するための方法であって、前記データパケットは、８０２．１１ａｘ標準に準拠し、前記方法は、
アクセスポイント（ＡＰ）によって、伝送帯域幅に従って、前記伝送帯域幅（１０１）に対応するＨＥ−ＬＴＦシーケンスを取得するステップと、
基地局に割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマッピングするステップ、および前記シーケンスセグメント（１０２）を送信するステップと
を含み、
８０ＭＨｚ帯域幅の伝送における２ｘ  ＨＥ−ＬＴＦシーケンスは、
【数１−１】
0006463552.tif 000142
【数１−２】
0006463552.tif 000143
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
方法。
【請求項２】
ワイヤレスローカルエリアネットワークにおいてデータパケットを受信するための方法であって、
８０２．１１ａｘ標準に準拠するデータパケットを受信するステップ、および前記データパケット（２０１）内に示された総伝送帯域幅を取得するステップと、
前記総伝送帯域幅に従って、前記総伝送帯域幅（２０２）に対応するＨＥ−ＬＴＦシーケンスを取得するステップと、
基地局によって、前記基地局に割り当てられたリソースブロック（ＲＵ）のサイズおよび位置に従って、前記データパケットにおいて、対応するＨＥ−ＬＴＦシーケンスセグメントを、チャネル推定（２０３）のための前記ＲＵに対応する基準シーケンスとして決定するステップと
を含み、
８０ＭＨｚ帯域幅の伝送における２ｘ  ＨＥ−ＬＴＦシーケンスは、
【数２−１】
0006463552.tif 000144
【数２−２】
0006463552.tif 000145
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
方法。
【請求項３】
ワイヤレスローカルエリアネットワークにおいてデータパケット内のロングトレーニングシーケンスを送信するための方法であって、前記データパケットは、８０２．１１ａｘ標準に準拠し、前記方法は、
基地局（ＳＴＡ）によって、示された伝送帯域幅のサイズに従って、前記伝送帯域幅（３０１）に対応するＨＥ−ＬＴＦシーケンスを取得するステップと、
前記基地局（ＳＴＡ）によって、割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマッピングするステップ、および前記シーケンスセグメント（３０２）を送信するステップと
を含み、
８０ＭＨｚ帯域幅の伝送における２ｘ  ＨＥ−ＬＴＦシーケンスは、
【数３−１】
0006463552.tif 000146
【数３−２】
0006463552.tif 000147
であり、上記式は、インデックス−５００〜５００内の均一なインデックスを伴うサブキャリアの値が、順次、前記ＨＥ−ＬＴＦシーケンス内の値、および他の位置が０であるサブキャリア上の値であることを意味する
方法。
【請求項４】
ワイヤレスローカルエリアネットワークにおいてデータパケットを受信するための方法であって、
アクセスポイント（ＡＰ）によって、８０２．１１ａｘ標準に準拠するデータパケットを受信するステップ、および総伝送帯域幅に従って、前記総伝送帯域幅（４０１）に対応するＨＥ−ＬＴＦシーケンスを取得するステップと、
前記ＡＰによって、前記ＨＥ−ＬＴＦシーケンスから、それぞれのアップリンクの基地局に割り当てられたリソースブロック（ＲＵ）のサイズおよび位置に従って、対応するＨＥ−ＬＴＦシーケンスセグメントを、チャネル推定（４０２）のために割り当てられた前記ＲＵの基準シーケンスとして決定するステップと
８０ＭＨｚ帯域幅の伝送における２ｘ  ＨＥ−ＬＴＦシーケンスは、
【数４−１】
0006463552.tif 000148
【数４−２】
0006463552.tif 000149
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
方法。
【請求項５】
ワイヤレスローカルエリアネットワークにおいてデータパケット内のロングトレーニングシーケンスを送信するための方法であって、前記データパケットは、８０２．１１ａｘ標準に準拠し、
アクセスポイント（ＡＰ）によって、総伝送帯域幅に従って、前記総伝送帯域幅（１０１）に対応するＨＥ−ＬＴＦシーケンスを取得するステップと、
前記ＡＰによって、基地局に割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマッピングするステップ、および前記シーケンスセグメント（１０２）を送信するステップと
を含み、
８０ＭＨｚ帯域幅の伝送における４ｘ  ＨＥ−ＬＴＦシーケンスは、
【数５−１】
0006463552.tif 000150
【数５−２】
0006463552.tif 000151
【数５−３】
0006463552.tif 000152
であり、上記式は、インデックス−５００〜５００を伴うサブキャリア上の値が、順次、前記ＨＥ−ＬＴＦシーケンス内の値であることを意味する
方法。
【請求項６】
ワイヤレスローカルエリアネットワークにおいてデータパケットを受信するための方法であって、
８０２．１１ａｘ標準に準拠するデータパケットを受信するステップ、および前記データパケット（２０１）内に示された総伝送帯域幅を取得するステップと、
前記総伝送帯域幅に従って、前記総伝送帯域幅（２０２）に対応するＨＥ−ＬＴＦシーケンスを取得するステップと、
スケジュール化された基地局（ＳＴＡ）によって、前記基地局に割り当てられたリソースブロック（ＲＵ）のサイズおよび位置に従って、前記データパケットにおいて、対応するＨＥ−ＬＴＦシーケンスセグメントを、チャネル推定（２０３）のための前記ＲＵの基準シーケンスとして決定するステップと
を含み、
８０ＭＨｚ帯域幅の伝送における４ｘ  ＨＥ−ＬＴＦシーケンスは、
【数６−１】
0006463552.tif 000153
【数６−２】
0006463552.tif 000154
【数６−３】
0006463552.tif 000155
であり、
上記式は、インデックス−５００〜５００を伴うサブキャリア上の値が、順次、前記ＨＥ−ＬＴＦシーケンス内の値であることを意味する
方法。
【請求項７】
ワイヤレスローカルエリアネットワークにおいてデータパケット内のロングトレーニングシーケンスを送信するための方法であって、前記データパケットは、８０２．１１ａｘ標準に準拠し、前記方法は、
基地局（ＳＴＡ）によって、示された総伝送帯域幅のサイズに従って、前記総伝送帯域幅（３０１）に対応するＨＥ−ＬＴＦシーケンスを取得するステップと、
前記基地局（ＳＴＡ）によって、割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマッピングするステップ、および前記シーケンスセグメント（３０２）を送信するステップと、
を含み、
８０ＭＨｚ帯域幅の伝送における４ｘ  ＨＥ−ＬＴＦシーケンスは、
【数７−１】
0006463552.tif 000156
【数７−２】
0006463552.tif 000157
【数７−３】
0006463552.tif 000158
であり、
上記式は、インデックス−５００〜５００を伴うサブキャリア上の値が、順次、前記ＨＥ−ＬＴＦシーケンス内の値であることを意味する
方法。
【請求項８】
ワイヤレスローカルエリアネットワークにおいてデータパケットを受信するための方法であって、
アクセスポイント（ＡＰ）によって、８０２．１１ａｘ標準に準拠するデータパケットを受信するステップ、および総伝送帯域幅に従って、前記総伝送帯域幅（４０１）に対応するＨＥ−ＬＴＦシーケンスを取得するステップと、
前記ＡＰによって、前記ＨＥ−ＬＴＦシーケンスから、それぞれのアップリンクの基地局に割り当てられたリソースブロック（ＲＵ）のサイズおよび位置に従って、対応するＨＥ−ＬＴＦシーケンスセグメントを、チャネル推定（４０２）のための前記ＲＵの基準シーケンスとして決定するステップと、
８０ＭＨｚ帯域幅の伝送における４ｘ  ＨＥ−ＬＴＦシーケンスは、
【数８−１】
0006463552.tif 000159
【数８−２】
0006463552.tif 000160
【数８−３】
0006463552.tif 000161
であり、上記式は、インデックス−５００〜５００を伴うサブキャリア上の値が、順次、前記ＨＥ−ＬＴＦシーケンス内の値であることを意味する
方法。
【請求項９】
前記ＨＥ−ＬＴＦシーケンスは、格納されたシーケンス、または生成することによって取得されたシーケンスである請求項１乃至８のいずれか一項に記載の方法。
【請求項１０】
ワイヤレスローカルエリアネットワーク内に適用され、８０２．１１ａｘに準拠するアクセスポイントの側面上に配置された装置であって、
総伝送帯域幅に従って、前記総伝送帯域幅（１０１）に対応するＨＥ−ＬＴＦシーケンスを取得するように構成されるユニットと、
基地局に割り当てられたリソースブロック（ＲＵ）のサイズおよび位置に従って、前記ＲＵの前記位置に対応し、前記ＨＥ−ＬＴＦシーケンス内にあるシーケンスセグメントを、前記割り当てられたＲＵ内のサブキャリアにマップし、前記シーケンスセグメント（１０２）を送信するように構成されるユニットと、
を備え、
８０ＭＨｚ帯域幅の伝送における２ｘ  ＨＥ−ＬＴＦシーケンスは、
【数９−１】
0006463552.tif 000162
【数９−２】
0006463552.tif 000163
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
装置。
【請求項１１】
ワイヤレスローカルエリアネットワーク内に適用され、８０２．１１ａｘに準拠する基地局の側面上に配置された装置であって、
８０２．１１ａｘ標準に準拠するデータパケットを受信し、および前記データパケット（２０１）内に示された総伝送帯域幅を取得するように構成されるユニットと、
前記総伝送帯域幅に従って、前記総伝送帯域幅（２０２）に対応するＨＥ−ＬＴＦシーケンスを取得するように構成されるユニットと、
前記基地局に割り当てられたリソースブロック（ＲＵ）のサイズおよび位置に従って、前記データパケットにおいて、対応するＨＥ−ＬＴＦシーケンスセグメントを、チャネル推定（２０３）のための前記ＲＵに対応する基準シーケンスとして決定するように構成されるユニットと
を備え、
８０ＭＨｚ帯域幅の伝送における２ｘ  ＨＥ−ＬＴＦシーケンスは、
【数１０−１】
0006463552.tif 000164
【数１０−２】
0006463552.tif 000165
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
装置。
【請求項１２】
ワイヤレスローカルエリアネットワーク内に適用され、８０２．１１ａｘに準拠する基地局の側面上に配置された装置であって、
示された総伝送帯域幅のサイズに従って、前記総伝送帯域幅（３０１）に対応するＨＥ−ＬＴＦシーケンスを取得するように構成されるユニットと、
割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマップし、および前記シーケンスセグメント（３０２）を送信するように構成されるユニットと
を備え、
８０ＭＨｚ帯域幅の伝送における２ｘ  ＨＥ−ＬＴＦシーケンスは、
【数１１−１】
0006463552.tif 000166
【数１１−２】
0006463552.tif 000167
であり、
上記式は、インデックス−５００〜５００内の均一なインデックスを伴うサブキャリア上の値が、順次、前記ＨＥ−ＬＴＦシーケンス内の値、および他の位置が０であるサブキャリア上の前記値であることを意味する
装置。
【請求項１３】
ワイヤレスローカルエリアネットワーク内に適用され、８０２．１１ａｘに準拠するアクセスポイントの側面上に配置された装置であって、
８０２．１１ａｘ標準に準拠するデータパケットを受信し、および総伝送帯域幅に従って、前記総伝送帯域幅（４０１）に対応するＨＥ−ＬＴＦシーケンスを取得するように構成されるユニットと、
前記ＨＥ−ＬＴＦシーケンスから、それぞれのアップリンクの基地局に割り当てられたリソースブロック（ＲＵ）のサイズおよび位置に従って、対応するＨＥ−ＬＴＦシーケンスセグメントを、チャネル推定（４０２）のための前記ＲＵの基準シーケンスとして決定するように構成されるユニットと
を備え、
８０ＭＨｚ帯域幅の伝送における２ｘ  ＨＥ−ＬＴＦシーケンスは、
【数１２−１】
0006463552.tif 000168
【数１２−２】
0006463552.tif 000169
であり、上記式は、インデックス−５００〜５００内の均一なインデックスを伴うサブキャリア上の値が、順次、前記ＨＥ−ＬＴＦシーケンス内の値、および他の位置が０であるサブキャリア上の値であることを意味する
装置。
【請求項１４】
ワイヤレスローカルエリアネットワーク内に適用され、８０２．１１ａｘに準拠するアクセスポイントの側面上に配置された装置であって、
総伝送帯域幅に従って、前記総伝送帯域幅（１０１）に対応するＨＥ−ＬＴＦシーケンスを取得するように構成されるユニットと、
基地局に割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマップし、および前記シーケンスセグメント（１０２）を送信するように構成されるユニットと
を備え、
８０ＭＨｚ帯域幅の伝送における４ｘ  ＨＥ−ＬＴＦシーケンスは、
【数１３−１】
0006463552.tif 000170
【数１３−２】
0006463552.tif 000171
【数１３−３】
0006463552.tif 000172
であり、
上記式は、インデックス−５００〜５００を伴うサブキャリア上の値が、順次、前記ＨＥ−ＬＴＦシーケンス内の値であることを意味する
装置。
【請求項１５】
ワイヤレスローカルエリアネットワーク内に適用され、８０２．１１ａｘに準拠する基地局の側面上に配置された装置であって、
８０２．１１ａｘ標準に準拠するデータパケットを受信し、および前記データパケット（２０１）内に示された総伝送帯域幅を取得するように構成されるユニットと、
前記総伝送帯域幅に従って、前記総伝送帯域幅（２０２）に対応するＨＥ−ＬＴＦシーケンスを取得するように構成されるユニットと、
前記基地局に割り当てられたリソースブロック（ＲＵ）のサイズおよび位置に従って、前記データパケットにおいて、対応するＨＥ−ＬＴＦシーケンスセグメントを、チャネル推定（２０３）のための前記ＲＵの基準シーケンスとして決定するように構成されるユニットと、
を備え、
８０ＭＨｚ帯域幅の伝送における４ｘ  ＨＥ−ＬＴＦシーケンスは、
【数１４−１】
0006463552.tif 000173
【数１４−２】
0006463552.tif 000174
【数１４−３】
0006463552.tif 000175
であり、
上記式は、インデックス−５００〜５００を伴うサブキャリア上の値が、順次、前記ＨＥ−ＬＴＦシーケンス内の値であることを意味する
装置。
【請求項１６】
ワイヤレスローカルエリアネットワーク内に適用され、８０２．１１ａｘに準拠する基地局の側面上に配置された装置であって、
示された総伝送帯域幅のサイズに従って、前記総伝送帯域幅（３０１）に対応するＨＥ−ＬＴＦシーケンスを取得するように構成されるユニットと、
割り当てられたリソースブロック（ＲＵ）のサイズおよび位置に従って、前記ＨＥ−ＬＴＦシーケンス内にあり、位置が、前記割り当てられたＲＵの前記位置に対応するシーケンスセグメントを、前記割り当てられたＲＵ内のサブキャリアにマップし、および前記シーケンスセグメント（３０２）を送信するように構成されるユニットと、
を備え、
８０ＭＨｚ帯域幅の伝送における４ｘ  ＨＥ−ＬＴＦシーケンスは、
【数１５−１】
0006463552.tif 000176
【数１５−２】
0006463552.tif 000177
【数１５−３】
0006463552.tif 000178
であり、
上記式は、インデックス−５００〜５００を伴うサブキャリア上の値が、順次、前記ＨＥ−ＬＴＦシーケンス内の値であることを意味する
装置。
【請求項１７】
ワイヤレスローカルエリアネットワーク内に適用され、８０２．１１ａｘに準拠するアクセスポイントの側面上に配置された装置であって、
８０２．１１ａｘ標準に準拠するデータパケットを受信し、および総伝送帯域幅に従って、前記総伝送帯域幅（４０１）に対応するＨＥ−ＬＴＦシーケンスを取得するように構成されるユニットと、
前記ＨＥ−ＬＴＦシーケンスから、それぞれのアップリンクの基地局に割り当てられたリソースブロック（ＲＵ）のサイズおよび位置に従って、対応するＨＥ−ＬＴＦシーケンスセグメントを、チャネル推定（４０２）のための前記ＲＵの基準シーケンスとして選択するように構成されるユニットと
を備え、
８０ＭＨｚ帯域幅の伝送における４ｘ  ＨＥ−ＬＴＦシーケンスは、
【数１６−１】
0006463552.tif 000179
【数１６−２】
0006463552.tif 000180
【数１６−３】
0006463552.tif 000181
であり、
上記式は、インデックス−５００〜５００を伴うサブキャリア上の値が、順次、前記ＨＥ−ＬＴＦシーケンス内の値であることを意味する
装置。
【請求項１８】
前記ＨＥ−ＬＴＦシーケンスは、格納されたシーケンス、または生成することによって取得されたシーケンスである請求項１０乃至１７のいずれか一項に記載の装置。
【発明の詳細な説明】
【技術分野】
【０００１】
本発明は、ワイヤレス通信技術の分野に関し、より詳細には、ＨＥ−ＬＴＦシーケンスを送信するための方法および装置に関する。
【背景技術】
【０００２】
本出願は、２０１５年８月２６日に中国特許庁に出願され、「ＩＮＦＯＲＭＡＴＩＯＮ  ＴＲＡＮＳＭＩＳＳＩＯＮ  ＭＥＴＨＯＤ，ＡＣＣＥＳＳ  ＰＯＩＮＴ，ＡＮＤ  ＳＴＡＴＩＯＮ」という名称の中国特許出願第２０１５１０５３２３８１．２号明細書、および２０１５年１１月２６日に中国特許庁に出願され、「ＭＥＴＨＯＤ  ＦＯＲ  ＴＲＡＮＳＭＩＴＴＩＮＧ  ＨＥ−ＬＴＦ  ＳＥＱＵＥＮＣＥ  ＡＮＤ  ＡＰＰＡＲＡＴＵＳ」という名称の中国特許出願第２０１５１０８４９０６２．２号明細書の優先権を主張し、それらの全体として参照により本明細書に組み込まれる。
【０００３】
モバイルインターネットの発達およびスマート端末の普及に伴い、データトラフィックは、急速に成長する。高いレートおよび低いコストの利点とともに、ワイヤレスローカルエリアネットワーク（ＷＬＡＮ、Ｗｉｒｅｌｅｓｓ  Ｌｏｃａｌ  Ａｒｅａ  Ｎｅｔｗｏｒｋ）は、主流のモバイルブロードバンドアクセス技術のうちの１つになる。
【０００４】
ＷＬＡＮシステムのサービス送信レートを著しく改善するために、次世代の電気電子技術者協会（ＩＥＥＥ、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａｘ標準において、既存の直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術に基づいて、直交周波数分割多元接続（ＯＦＤＭＡ、Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）技術がさらに使用される。ＯＦＤＭＡ技術において、エアインターフェース無線チャネルの時間周波数リソースは、複数の直交の時間周波数リソースブロック（ＲＢ、Ｒｅｓｏｕｒｃｅ  Ｂｌｏｃｋ）に分割され、ＲＢは、時間ドメイン内で共有されてよく、周波数ドメイン内で直交であってよい。
【０００５】
既存のＷｉＦｉシステム（例えば、１１ｎまたは１１ａｃ）において、端末は、衝突回避を伴うキャリア検知の競合手法を使用することによるチャネルアクセスを依然として実施する。ユーザの量が増加するとき、チャネルアクセスの衝突が増加するので、システム平均スループットは、急速に低下する。新しいＷｉＦｉ標準（１１ａｘ）の現在の作業において、ＷｉＦｉシステムにＯＦＤＭＡ技術を導入して、高密度シナリオにおけるシステム平均スループットを改善する目的を実現することは既に決定されている。既存のＷｉＦｉシステムにおいてチャネル推定のために使用される重要な部分として、ＬＴＦも、新しいＷｉＦｉ標準におけるＯＦＤＭＡモードにおいて使用され続ける。したがって、ＯＦＤＭＡモードにおいて、ＬＴＦを生成する手法は、リサーチの中心になる。
【０００６】
従来技術において、８０２．１１ａｃ標準における、８０ＭＨｚのＬＴＦ、または１６０ＭＨｚのＬＴＦが、基本的なテンプレートとして使用され、ここから、ＯＦＤＭＡモードにおいてユーザによってスケジュール化されたリソースブロックに対応するキャリア部分における値は、抽出され、リソースブロックに対応しないキャリア部分における値は、ＯＦＤＭＡモードにおいてユーザによって使用されるＬＴＦを生成するように、０で埋められる。しかし、従来技術における方法が使用されるとき、ピーク対平均電力比（Ｐｅａｋ  ｔｏ  Ａｖｅｒａｇｅ  Ｐｏｗｅｒ  Ｒａｔｉｏ、以下では略してＰＡＰＲ）は、比較的高い。
【発明の概要】
【０００７】
本発明の実施形態は、ピーク対平均電力比を低減するために、ワイヤレスローカルエリアネットワーク情報を送信するための方法を提供する。
【０００８】
１つの態様によれば、ワイヤレスローカルエリアネットワーク情報を送信するための方法が提供され、
対応するＨＥ−ＬＴＦシーケンスを、帯域幅に従って取得することであって、ＨＥ−ＬＴＦシーケンスは、具体的にはそれぞれの実施形態におけるシーケンスであることと、
ＨＥ−ＬＴＦシーケンス内の対応するシーケンスのセグメントを、基地局に割り当てられたＲＵのサイズおよび位置に従って送信することと
を含む。
【０００９】
別の態様によれば、ワイヤレスローカルエリアネットワークＰＰＤＵを受信する方法が提供され、
ＰＰＤＵを受信すること、およびＰＰＤＵ内に示された総伝送帯域幅を取得することと、
対応するＨＥ−ＬＴＦシーケンスを、帯域幅に従って取得することであって、ＨＥ−ＬＴＦシーケンスは、具体的には、それぞれの実施形態におけるシーケンスであることと、
ＲＵのサイズおよび位置に従って、対応するＨＥ−ＬＴＦシーケンスセグメントを、チャネル推定のためのＲＵの基準シーケンスとして、受信エンドにおいて選択することと
を含む。
【００１０】
これに対応して、前述の方法を実行するように構成された装置が提供され、装置は、例えば、ＡＰ、ＳＴＡ、または対応するチップである。
【００１１】
本発明の実施形態において提供されるＨＥ−ＬＴＦシーケンスが使用され、その結果、次世代のワイヤレスローカルエリアネットワークは、比較的低いＰＡＰＲを有する。
【図面の簡単な説明】
【００１２】
本発明の実施形態における、または従来技術における技術的ソリューションをより明確に説明するために、以下では、実施形態または従来技術を説明するために要求される添付の図面を簡単に説明する。明らかに、以下の説明における添付の図面は、本発明のいくつかの実施形態を示し、当業者であれば、これらの添付の図面から創造的な努力をすることなく他の図面を導き出すことさえしうる。
【００１３】
【図１ａ】本発明の実施形態による、ＯＦＤＭＡ送信手法における、異なる帯域幅内のトーンプランである。
【図１ｂ】本発明の実施形態による、ＯＦＤＭＡ送信手法における、異なる帯域幅内のトーンプランである。
【図１ｃ】本発明の実施形態による、ＯＦＤＭＡ送信手法における、異なる帯域幅内のトーンプランである。
【図２ａ】８０２．１１ａｃにおけるＬＴＦシミュレーションが使用され続ける場合に取得されるＰＡＰＲの概略図である。
【図２ｂ】８０２．１１ａｃにおけるＬＴＦシミュレーションが使用され続ける場合に取得されるＰＡＰＲの概略図である。
【図３】本発明の実施形態による、ワイヤレスローカルエリアネットワークの単純な概略図である。
【図４】本発明の実施形態による、マルチユーザの送信手法における、ＰＰＤＵのデータ構造の単純な概略図である。
【図５ａ】本発明の実施形態による、ＯＦＤＭＡ送信手法における、異なる帯域幅内のパイロット位置を含むトーンプランである。
【図５ｂ】本発明の実施形態による、ＯＦＤＭＡ送信手法における、異なる帯域幅内のパイロット位置を含むトーンプランである。
【図５ｃ】本発明の実施形態による、ＯＦＤＭＡ送信手法における、異なる帯域幅内のパイロット位置を含むトーンプランである。
【図５ｄ】本発明の実施形態による、ＯＦＤＭＡ送信手法における、異なる帯域幅内のパイロット位置を含むトーンプランである。
【図６】さほど好ましくない実施形態における、シミュレーションを用いて取得されるＰＡＰＲの概略図である。
【図７ａ】本発明の実施形態における、アップリンク方向およびダウンリンク方向における単純な概略図である。
【図７ｂ】本発明の実施形態における、アップリンク方向およびダウンリンク方向における単純な概略図である。
【図８ａ】２０ＭＨｚ帯域幅における、好ましい２ｘ  ＨＥ−ＬＴＦシーケンスシミュレーションを用いて取得されるＰＡＰＲ値を示す図である。
【図８ｂ】２０ＭＨｚ帯域幅における、好ましい２ｘ  ＨＥ−ＬＴＦシーケンスシミュレーションを用いて取得されるＰＡＰＲ値を示す図である。
【図９】４０ＭＨｚ送信における、好ましい２ｘ  ＨＥ−ＬＴＦシーケンスシミュレーションを用いて取得されるＰＡＰＲ値を示す図である。
【図１０】８０ＭＨｚ送信における、好ましい２ｘ  ＨＥ−ＬＴＦシーケンスシミュレーションを用いて取得されるＰＡＰＲ値を示す図である。
【図１１】８０ＭＨｚ送信における、好ましい２ｘ  ＨＥ−ＬＴＦシーケンスシミュレーションを用いて取得されるＰＡＰＲ値を示す図である。
【図１２】２０ＭＨｚ帯域幅送信における、好ましい４ｘ  ＨＥ−ＬＴＦシーケンスシミュレーションを用いて取得されるＰＡＰＲ値を示す図である。
【図１３】４０ＭＨｚ帯域幅送信における、好ましい４ｘ  ＨＥ−ＬＴＦシーケンスシミュレーションを用いて取得されるＰＡＰＲ値を示す図である。
【図１４】８０ＭＨｚ帯域幅送信における、好ましい４ｘ  ＨＥ−ＬＴＦシーケンスシミュレーションを用いて取得されるＰＡＰＲ値を示す図である。
【図１５】本発明の実施形態による、アクセスポイントのブロック図である。
【図１６】本発明の実施形態による、基地局のブロック図である。
【発明を実施するための形態】
【００１４】
以下は、本発明の実施形態における技術的ソリューションを、本発明の実施形態における添付の図面を参照しながら、明確かつ完全に説明する。明らかに、説明される実施形態は、本発明の実施形態の一部であり、すべてではない。当業者によって本発明の実施形態に基づいて創造的な努力をすることなく取得されるすべての他の実施形態は、本発明の保護範囲内に入る。
【００１５】
理解を簡単にするために、以下の実施形態において出現しうる用語は、以下のように説明される。
【００１６】
ＡＰ      Ａｃｃｅｓｓ  Ｐｏｉｎｔ      アクセスポイント
ＨＥＷ      Ｈｉｇｈ  ｅｆｆｉｃｉｅｎｃｙ  ＷＬＡＮ      高効率ワイヤレスローカルエリアネットワーク
ＨＥ−ＬＴＦ      Ｈｉｇｈ  ｅｆｆｉｃｉｅｎｃｙ  Ｌｏｎｇ  ｔｒａｉｎｉｎｇ  ｆｉｅｌｄ      高効率のロングトレーニングシーケンス
ＯＦＤＭＡ      Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ      直交周波数分割多元接続
ＳＴＡ      Ｓｔａｔｉｏｎ      基地局
ＷＬＡＮ      Ｗｉｒｅｌｅｓｓ  Ｌｏｃａｌ  Ａｒｅａ  Ｎｅｔｗｏｒｋｓ      ワイヤレスローカルエリアネットワーク
【００１７】
アクセスポイント（ＡＰ、Ａｃｃｅｓｓ  Ｐｏｉｎｔ）は、ワイヤレスアクセスポイント、ブリッジ、ホットスポット、または同様のもの、と呼ばれることもあり、アクセスサーバまたは通信ネットワークであってよい。
【００１８】
基地局（ＳＴＡ、Ｓｔａｔｉｏｎ）は、ユーザとさらに呼ばれることがあり、ワイヤレスセンサ、ワイヤレス通信端末、またはモバイル端末、例えば、ＷｉＦｉ通信機能をサポートする携帯電話（または「セルラー」電話と呼ばれる）、およびワイヤレス通信機能を有するコンピュータであってよい。例えば、基地局は、ＷｉＦｉ通信機能をサポートし、声およびデータなどの通信データを、ワイヤレスアクセスネットワークと交換する、ポータブルの、ポケットサイズの、ハンドヘルド式の、コンピュータビルトインの、ウェアラブルの、または車載のワイヤレス通信装置であってよい。
【００１９】
次世代のワイヤレスローカルエリアネットワーク標準８０２．１１ａｘは、ＷＬＡＮスペクトル効率性、エリアのスループット、実際のユーザ体感、ならびに様々な屋内および屋外の高密度ネットワーク導入環境におけるパフォーマンスをさらに改善することを意図する。加えて、ソリューションは、デバイス間の干渉を抑制し、大規模かつ高負荷なネットワーキング要求を満たすことがさらに要求される。従来のＷｉＦｉにおいて、屋内のチャネルが主に使用され、ＯＦＤＭ送信手法が使用され、シンボル長は３．２μｓであり、サブキャリア間隔は１／３．２μｓ＝３１２．５ｋＨｚである。２０ＭＨｚにおいて、６４−ＦＦＴが、ＯＦＤＭシンボルを生成するために使用され、全部で５６個のサブキャリアの中に、５２個のデータサブキャリアおよび４個のサブキャリアがある。４０ＭＨｚにおいて、１２８−ＦＦＴが、ＯＦＤＭシンボルを生成するために使用され、全部で１２８個のサブキャリアの中に、１０８個のデータサブキャリアおよび６個のサブキャリアがある。２５６−ＦＦＴが、ＯＦＤＭシンボルを生成するために使用されるとき、全部で２５６個のサブキャリアの中に、２３４個のデータサブキャリアおよび８個のサブキャリアがある。
【００２０】
８０２．１１ａｘシステムに関して、屋内および屋外のシナリオをサポートするために、８０２．１１ａｃにおけるシンボル長の４倍であるシンボル長（４×３．２μｓ＝１２．８μｓ）が使用されてよく、サブキャリア間隔は、３１２．５／４＝７８．１２５ｋＨｚである。ＯＦＤＭＡ送信をサポートするために、以下のトーンプラン（データを搬送するサブキャリアの分布）が使用され、異なるリソースブロック（ＲＵ：ｒｅｓｏｕｒｃｅ  ｕｎｉｔ）間の位置の関連性が、図１ａから図１ｃに示され、ここで、矢印は、ＲＵ間の残余のサブキャリア（残余のトーン）の位置を示す。大きいＲＵのサブキャリアの量は、それに対応して、大きいＲＵによって収容されることがある、複数の小さいＲＵのサブキャリアの量と、小さいＲＵ間の残余のサブキャリアの量との総合計と同じである。
【００２１】
図１ａを参照すると、図１ａは、２０ＭＨｚにおけるＯＦＤＭＡにおいて割り当てられることがある、（英語では「トーンプラン」、またはリソースブロック分布と呼ばれる）リソースブロックの単純な概略図であり、図１ｂは、４０ＭＨｚにおけるＯＦＤＭＡのリソースブロックの位置の単純な概略図であり、図１ｃは、８０ＭＨｚにおけるＯＦＤＭＡのリソースブロックの位置の単純な概略図である。８０２．１１ａｘにおけるＯＦＤＭＡのマルチユーザデータパケットは、様々なサイズのリソースブロック（ＲＵ：ｒｅｓｏｕｒｃｅ  ｕｎｉｔ）によって形成される。ＡＰは、１つのＲＵをそれぞれのユーザに割り当てる。ユーザに割り当てられることがある任意選択のＲＵは、
１）２６個の連続的なサブキャリアによって形成されたＲＵであって、２４個のデータサブキャリアおよび２個のパイロットのパイロットサブキャリアを含むＲＵ、
２）５２個の連続的なサブキャリアによって形成されたＲＵであって、４８個のデータサブキャリアおよび４個のパイロットのパイロットサブキャリアを含むＲＵ、
３）１０６個の連続的なサブキャリアによって形成されたＲＵであって、２４個のデータサブキャリアおよび２個のパイロットのパイロットサブキャリアを含むＲＵ、
４）２４２個の連続的なサブキャリアによって形成されたＲＵであって、２３４個のデータサブキャリアおよび８個のパイロットのパイロットサブキャリアを含むＲＵ、
５）４８４個の連続的なサブキャリアによって形成されたＲＵであって、４６８個のデータサブキャリアおよび１６個のパイロットのパイロットサブキャリアを含むＲＵ、ならびに
６）９９６個の連続的なサブキャリアによって形成されたＲＵであって、９８０個のデータサブキャリアおよび１６個のパイロットのパイロットサブキャリアを含むＲＵ
である。
【００２２】
４８４−ＲＵは、４０ＭＨｚのマルチユーザ送信において使用され、９９６−ＲＵは、８０／１６０ＭＨｚのマルチユーザ送信において使用される。１６０ＭＨｚが、２つの８０ＭＨｚトーンプランによって形成されることが学習され得る。図１ａ、図１ｂ、および図１ｃにおいて矢印によって示されたパイロットサブキャリアの位置は、前述のパイロットサブキャリアの位置である。
【００２３】
加えて、８０２．１１ａｘシステムにおいて、チャネル推定のために使用されるＨＥ−ＬＴＦに関して、２ｘモードおよび４ｘモードが使用される。４ｘモードは、４ｘ  ＨＥ−ＬＴＦシーケンスによってマップされるサブキャリアインデックスが、データ部分のリソースブロック分布（トーンプラン）によってマップされるサブキャリアインデックスと同じであることを意味する。２ｘモードは、２ｘ  ＨＥ−ＬＴＦシーケンスのインデックスが、２で分割された４ｘ  ＨＥ−ＬＴＦシーケンスのインデックスに対応することを意味する。すなわち、２ｘ  ＨＥ−ＬＴＦシーケンスによってマップされるサブキャリアインデックスは、データ部分のリソースブロック分布（トーンプラン）によってマップされるサブキャリアインデックスの半分である。
【００２４】
８０２．１１ａｘシステムにおいて、ＯＦＤＭＡ送信のトーンプラン（サブキャリア分布）は、既存の８０２．１１ａｃシステムにおけるＯＦＤＭのトーンプランとは異なる。したがって、８０２．１１ａｃにおいて規定された２０／４０のＶＨＴ−ＬＴＦシーケンスは、適用できない。具体的なケースにおいて、８０２．１１ａｃにおける８０ＭＨｚの総サブキャリア量２４２は、８０２．１１ａｘにおける２０ＭＨｚの総サブキャリア量と同じである。しかし、ＶＨＴ−ＬＴＦシーケンスが、８０２．１１ａｘの２０ＭＨｚ帯域幅において直接的に使用されるとき、ピーク対平均電力比（ＰＡＰＲ：Ｐｅａｋ−ｔｏ−ａｖｅｒａｇｅ  ｐｏｗｅｒ  ｒａｔｉｏ）が、比較的高いことが分かる。
【００２５】
図２ａおよび図２ｂを参照すると、８０２．１１ａｃの８０ＭＨｚのＶＨＴ−ＬＴＦが、８０２．１１ａｘの２０ＭＨｚにおいて使用される場合、ＶＨＴ−ＬＴＦのＰＡＰＲは、従来のＬＴＦシーケンスのＰＡＰＲと比較すると著しく増加し、このことが、電力制御の効率性に影響を及ぼし、チャネル推定の正確さをさらに低減することが学習され得る。
【００２６】
加えて、４０／８０ＭＨｚにおける８０２．１１ａｘのトーンプランに関して、サブキャリアの量は、従来のシーケンスを既に超過し、８０２．１１ａｃのＶＨＴ−ＬＴＦシーケンスは再使用されることができない。
【００２７】
図３は、本発明の実施形態において適用されるＷＬＡＮシステムの単純な概略図である。図３におけるシステムは、１つまたは複数のアクセスポイントＡＰ１０１、および１つまたは複数の基地局ＳＴＡ１０２を含む。アクセスポイント１０１および基地局１０２は、ＯＦＤＭＡ技術を使用することによって、ワイヤレス通信を実施する。
【００２８】
図４を参照すると、図４は、前述のダウンリンクのＷＬＡＮシステムにおけるＡＰによって送られるデータパケットＰＰＤＵの可能なフレーム構造を示す。具体例において、フレーム構造は、８０２．１１ａｘにおける関連した規則に準拠する。
【００２９】
図４に示されたＰＰＤＵのデータ構造によれば、ＡＰによって送られたダウンリンクのマルチユーザＰＰＤＵに関して、ＨＥ−ＳＩＧ−Ａは、ダウンリンクのユーザＳＴＡの伝送帯域幅を示すために使用される情報を含み、ＨＥ−ＳＩＧ−Ｂは、ダウンリンクのスケジュール化されたユーザに割り当てられたＲＵのサイズおよび位置を示すために使用される情報を含むか、または空間のフロー数もしくは変調および符号化モードなどの、それぞれのスケジュール化されたユーザ、および他のスケジューリング情報に対応するＳＴＡ  ＩＤをさらに含む。例において、ＨＥ−ＳＩＧ−ＡまたはＨＥ−ＳＩＧ−Ｂは、ＨＥ−ＬＴＦ長、すなわち、複数のユーザの調整を実施することを命令するために使用されるＨＥ−ＬＴＦのシンボルの量Ｎをさらに含むことがある。
【００３０】
追加の実施形態において、ＨＥ−ＬＴＦのＯＦＤＭＡのサブキャリア分布（トーンプラン）におけるそれぞれのＲＵに関して、パイロットサブキャリアの量、パイロットサブキャリアの位置、および送信する手法が与えられる。対応する内容に関して、以下のＭｏｔｉｏｎ  ＃３、２０１４年１０月２９日、Ｒｅｍｏｖｅｄ  ｗｉｔｈ  Ｍｏｔｉｏｎ  １０、２０１５年３月６日を参照されたい。
【００３１】
例えば、図５ａ、図５ｂ、図５ｃ、および図５ｄを参照すると、図１ａ、図１ｂ、および図１ｃに示されたトーンプランに基づいて、パイロットサブキャリアの位置が与えられ、すなわち図５ａ、図５ｂ、図５ｃ、および図５ｄにおける長い矢印によって示された位置である。例えば、送信する手法は、単一ユーザ送信、アップリンクおよびダウンリンクのＯＦＤＭＡ送信、ならびにダウンリンクのＭＵ−ＭＩＭＯ送信において、８０２．１１ａｘにおけるＨＥ−ＬＴＦ内のパイロットは、（８０２．１１ａｃに似ている）単一のフローに従って送られるというものである。
【００３２】
具体例において、アップリンクのＭＵ−ＭＩＭＯ送信中、それぞれのＳＴＡのＨＥ−ＬＴＦシーケンスは、ＡＰによって割り当てられた識別コードが周波数に乗じられ、ＡＰは、それぞれのＳＴＡの周波数識別コードに依って、それぞれのＳＴＡのＣＦＯを推定してよい。したがって、アップリンクのＭＵ−ＭＩＭＯのＨＥ−ＬＴＦシーケンス内に特殊なパイロットサブキャリアはなく、アップリンクのＭＵ−ＭＩＭＯのＨＥ−ＬＴＦシーケンスは、ダウンリンクのＭＵ−ＭＩＭＯのＨＥ−ＬＴＦシーケンスとは異なる。
【００３３】
いくつかのさほど好ましくない実施形態において、いくつかのＨＥ−ＬＴＦ、またはＨＥ−ＬＴＦを生成するためのいくつかの方法が提供されるが、しかし、パイロットのインパクトは考慮されず、対応する方法において、ＰＡＰＲは比較的高い。
【００３４】
例えば、さほど好ましくない実施形態において、長さが１３であるＢａｒｋｅｒシーケンス、すなわちｘが、提供される。長さが１２１であるシーケンスは、Ｂａｒｋｅｒシーケンスに従って生成され、Ｍ1を使用することによって表現される。加えて、長さがそれぞれ１３および７であるＢａｒｋｅｒシーケンスが発見され、Ｍ2およびＭ3を使用することによってそれぞれ表現される。具体的なシーケンスは、以下のように表現される。
【００３５】
【数１】
0006463552.tif 000002
【００３６】
次に、シーケンスｘ、Ｍ1、Ｍ2、およびＭ3が、２ｘ／４ｘモードにおけるＨＥ−ＬＴＦシーケンスを生成するために使用される。生成されたＨＥ−ＬＴＦシーケンスは、以下のようなものである。
【００３７】
２ｘモードにおけるＨＥ−ＬＴＦシーケンス
２０ＭＨｚ  １２２トーン  ２Ｘシーケンス
【００３８】
【数２】
0006463552.tif 000003
【００３９】
４０ＭＨｚ  ２４２トーン  ２Ｘシーケンス
【００４０】
【数３】
0006463552.tif 000004
【００４１】
８０ＭＨｚ  ４９８トーン  ２Ｘシーケンス
【００４２】
【数４】
0006463552.tif 000005
【００４３】
４ｘモードにおけるＨＥ−ＬＴＦシーケンス
２０ＭＨｚ  ２４２トーン  ４Ｘシーケンス
【００４４】
【数５】
0006463552.tif 000006
【００４５】
４０ＭＨｚ  ４８４トーン  ４Ｘシーケンス
【００４６】
【数６】
0006463552.tif 000007
【００４７】
８０ＭＨｚ  ９９６トーン  ４Ｘシーケンス
【００４８】
【数７】
0006463552.tif 000008
【００４９】
しかし、図５ａ、図５ｂ、図５ｃ、または図５ｄにおけるＨＥ−ＬＴＦ内のパイロットサブキャリアおよび他のサブキャリアに、異なる位相が乗じられるすべてのシナリオが、分析される。異なるケースにおいて、ＰＡＰＲは著しく変化することが学習され得る。いくつかのケースにおいて、ＰＡＰＲは比較的高い。前述のケースにおいて、パイロットサブキャリアの位相変化は、Ｐマトリックス内の第１の行に対応し、他のサブキャリアの位相変化は、空間のフローに従って、Ｐマトリックス内の対応する行に対応する。これらのケースは、以下の４つのケースに要約されることがあり、すなわち、パイロットサブキャリアの位相が変化せず、パイロットサブキャリアに「＋１」が常に乗じられる場合、別のサブキャリアの位相は変化し、別のサブキャリアは、「＋１」、「−１」、「ｗ」、または「ｗ2」が別々に乗じられ、ここで、ｗ＝ｅｘｐ（−１ｉ×２×ｐｉ／６）である。
【００５０】
例えば、従来技術におけるソリューションにおいて、ＰＡＰＲの結果は、以下のようなものであり、ここで、パイロットサブキャリアの位相は変化せず、パイロットサブキャリアは、「＋１」が常に乗じられ、別のサブキャリアの位相は変化し、別のサブキャリアは、「＋１」、「−１」、「ｗ」、または「ｗ2」が別々に乗じられる。それぞれの行に対応するＰＡＰＲは、図６に示される。ＰＡＰＲは著しく変化し、いくつかのＰＡＰＲは、７ｄＢを既に超過することが学習され得る。
【００５１】
いくつかの実施形態が以下に提供される。対応するＨＥ−ＬＴＦシーケンスにおいて、異なる値は、パイロットの位置においてセットされるので、ＰＡＰＲは、すべて比較的低い。
【００５２】
いくつかの好ましい実施形態において、ハードウェア実装形態における低いストレージ負荷および簡単な実装などの要求が満たされてもよい。
【００５３】
１つの態様によれば、ＨＥ−ＬＴＦシーケンスを送信するための方法が提供され、
対応するＨＥ−ＬＴＦシーケンスを、帯域幅に従って取得することであって、ＨＥ−ＬＴＦシーケンスは、具体的には以下の実施形態におけるシーケンスであることと、
リソース割り当て情報内にあるＲＵのサイズおよびＲＵの位置に従って、ＨＥ−ＬＴＦシーケンスに対応する位置におけるシーケンスのセグメントを送信することと
を含む。
【００５４】
図７ａおよび図７ｂを参照すると、図７ａおよび図７ｂは、アップリンク方向およびダウンリンク方向における、前述の方法の単純な概略図である。
【００５５】
前述の方法をより明確にするために、アップリンク送信手順およびダウンリンク送信手順が、以下で詳細に説明される。
【００５６】
ダウンリンク送信処理：
【００５７】
ＡＰは、データパケットＰＰＤＵを送信する。ＰＰＤＵに関しては、図４に示された構造を参照されたい。ダウンリンク送信処理は、以下を含む。
【００５８】
１０１：ＡＰは、総伝送帯域幅に従って、帯域幅に対応するＨＥ−ＬＴＦシーケンスを取得する。
【００５９】
ＨＥ−ＬＴＦシーケンスは、ＡＰ上に格納されてよく、または特定の原理に従って生成することによって取得されてよい。ＨＥ−ＬＴＦの具体例に関しては、後続の例を参照されたい。
【００６０】
１０２：対応するＨＥ−ＬＴＦシーケンスセグメントを、ＨＥ−ＬＴＦシーケンスから、スケジュール化されたユーザに割り当てられたリソースブロックＲＵのサイズおよび位置に従って取得し、ＨＥ−ＬＴＦシーケンスセグメントを、割り当てられたＲＵのサブキャリアにマップし、ＨＥ−ＬＴＦシーケンスセグメントを送信する。
【００６１】
好ましい例において、ＰＰＤＵは、マルチフロー／マルチユーザ送信を含み、ＨＥ−ＬＴＦは、Ｎ個のシンボル上で送られる必要があり、ここで、Ｎは、それぞれのＲＵ上のユーザの、対応する割り当てられた総フロー量の最大値Ｍより大きいか、または等しくなるべきであり、これは、Ｎ≧Ｍと表され、ここで、Ｎ＝１、２、４、６、または８、およびＭ＝１から８である。ＡＰは、ＲＵ上のそれぞれのフローに、サイズがＮ×ＮであるＰマトリックスのマトリックス内の行を順次割り当て、ここで、行は、フローを区別するために使用される特性コードとして使用される。具体的には、ＲＵ上のそれぞれのフローのＨＥ−ＬＴＦシーケンスが送られるとき、ＨＥ−ＬＴＦの第ｎのシンボル上のパイロットサブキャリアの位置を除く、トーンプランの長さの値は、それに対応して、フローの特性コードを区別するために使用される第ｎの符号語が乗じられる必要がある。当業者は、パイロットサブキャリアの位置を処理するために、処理が、既存の技術的ソリューションに従って実施されることを知っており、詳細は本明細書では説明されない。
【００６２】
８０２．１１ａｘのデータパケットＰＰＤＵを受信するために、ダウンリンクのスケジュール化されたＳＴＡによって使用される方法は、以下を含む。
【００６３】
２０１：スケジュール化されたＳＴＡはＰＰＤＵを受信し、ＨＥ−ＳＩＧ−Ａ内にあり、ＡＰによって示される総伝送帯域幅を取得する。
【００６４】
２０２：総伝送帯域幅に従って、帯域幅に対応するＨＥ−ＬＴＦシーケンスを取得する。
【００６５】
ＨＥ−ＬＴＦシーケンスは、ＡＰもしくはＳＴＡ上に格納されてよく、または特定の原理に従って生成することによって取得されてよい。ＨＥ−ＬＴＦシーケンスの具体例に関しては、後続の実施形態を参照されたい。
【００６６】
２０３：スケジュール化されたＳＴＡは、ＰＰＤＵ内のＨＥ−ＳＩＧ−Ｂに従って、およびスケジュール化されたＳＴＡのＳＴＡ  ＩＤを使用することによって、スケジュール化されたＳＴＡがスケジュール化されたことを示す情報を識別し、表示情報から、ＡＰによってユーザに割り当てられたＲＵのサイズおよび位置を取得する。ＲＵの示されたサイズおよび位置に従って、総伝送帯域幅のサイズに対応するＨＥ−ＬＴＦシーケンスから、対応するＨＥ−ＬＴＦシーケンスセグメントは、後続のチャネル推定オペレーションを実施するために、受信エンドにあり、ＲＵに対応し、チャネル推定のために使用される基準シーケンスとして選択される。原理は、再び本明細書で説明されない。
【００６７】
アップリンク送信処理：
【００６８】
アップリンクＳＴＡによって８０２．１１ａｘのデータパケットＰＰＤＵを送信することに関しては、上記の図４を参照されたい。ＡＰは、トリガフレームを使用することによって、アップリンクスケジューリング情報を示し、ここで、アップリンクスケジューリング情報は、アップリンクのユーザＳＴＡの伝送帯域幅、アップリンクのスケジュール化されたＳＴＡのＩＤ、ならびにＳＴＡに割り当てられたＲＵのサイズおよび位置、または複数のアップリンクユーザの調整のためのＨＥ−ＬＴＦの長さを含む。ＨＥ−ＬＴＦの長さは、シンボルの量Ｎであり、それぞれのＲＵ上のユーザの、対応する割り当てられた総フロー量の最大値はＭであり、ここで、Ｎ≧Ｍ、Ｎ＝１、２、４、６、または８、およびＭ＝１から８である。
【００６９】
アップリンクＳＴＡが８０２．１１ａｘのデータパケットＰＰＤＵを送信するとき：
【００７０】
３０１：ＳＴＡは、示された総伝送帯域幅のサイズに従って、帯域幅に対応するＨＥ−ＬＴＦシーケンスを取得する。
【００７１】
ＨＥ−ＬＴＦシーケンスは、ＡＰもしくはＳＴＡ上に格納されてよく、または特定の原理に従って生成することによって取得されてよい。ＨＥ−ＬＴＦシーケンスの具体例に関しては、後続の実施形態を参照されたい。
【００７２】
３０２：ＳＴＡは、割り当てられたＲＵ内のサブキャリアにおけるＨＥ−ＬＴＦシーケンスセグメントをマップし、ＨＥ−ＬＴＦシーケンスセグメントを送信するために、対応する位置にあるＨＥ−ＬＴＦシーケンスセグメントを、ＨＥ−ＬＴＦシーケンスから、割り当てられたリソースブロックＲＵのサイズおよび位置に従って、選択する。
【００７３】
３０３：示されたＨＥ−ＬＴＦの長さに従ってＮ個のシンボルを送信し、ここで、それぞれのシンボルは、ＨＥ−ＬＴＦを搬送する。
【００７４】
対応して、アップリンクのＡＰが、８０２．１１ａｘのデータパケットＰＰＤＵを受信するとき、以下を含む。
【００７５】
４０１：ＡＰは、総伝送帯域幅に従って、帯域幅に対応するＨＥ−ＬＴＦシーケンスを取得する。
【００７６】
ＨＥ−ＬＴＦシーケンスは、ＡＰ上に格納されてよく、または特定の原理に従って生成することによって取得されてよい。ＨＥ−ＬＴＦシーケンスの具体例に関しては、後続の実施形態を参照されたい。
【００７７】
４０２：ＡＰは、チャネル推定を実施するために、それぞれのアップリンクのスケジュール化されたユーザ（基地局）によって割り当てられたリソースブロックＲＵのサイズおよび位置に従って、対応するＨＥ−ＬＴＦシーケンスセグメントを、ＨＥ−ＬＴＦシーケンスから、ＲＵの基準シーケンスとして選択する。
【００７８】
当業者は、８０２．１１ａｘに準拠するデータパケットは、ＳＵ、ＭＵ、ＯＦＤＭＡ、または同様のものの送信モードまたはデータ構造を有することがあることを知っている。本発明の実施形態において提供されるＨＥ−ＬＴＦシーケンスは、具体的なデータ構造の送信に適用されることに限定されないが、その代わり、８０２．１１ａｘ標準に準拠する様々なデータパケットの送信に適用されることがある。例えば、ＳＵの送信モードにおいて、前述の実施形態において言及された基地局に割り当てられたリソースブロックＲＵのサイズおよび位置は、現在の送信において使用される全体の帯域幅であり、詳細は本明細書で再び説明されない。
【００７９】
本発明の実施形態において、ＨＥ−ＬＴＦシーケンスを生成するための方法が提供され、前述の実施形態に、特に、８０２．１１ａｘのＯＦＤＭＡトーンプランにおける異なるリソースブロックＲＵのサイズおよび位置に対して適用されることがある。
【００８０】
５０１：ＯＦＤＭＡサブキャリアのレイアウトにおいて、小さいＲＵの長さを有する基本的なＨＥ−ＬＴＦシーケンスの１つまたはグループを選択する。本明細書において小さいＲＵは、サブキャリアの量が２６である前述のＲＵを指すことがある。４ｘモードに関して、基本的なＨＥ−ＬＴＦシーケンスは、長さが２６であるサブシーケンスである。２ｘモードに関して、ＨＥ−ＬＴＦシーケンスの数は、２で分割された４ｘ  ＨＥ−ＬＴＦシーケンスの数に対応するので、２ｘモードにおける基本的なＨＥ−ＬＴＦシーケンスは、長さが１３であるサブシーケンスである。
【００８１】
５０２：ＯＦＤＭＡトーンプランにおける異なるＲＵのサイズおよび位置に従って、基本的なＨＥ−ＬＴＦシーケンスを繰り返すか、または基本的なＨＥ−ＬＴＦシーケンスのグループにおいて１つの基本的なＨＥ−ＬＴＦシーケンスを繰り返し、基本的なＨＥ−ＬＴＦシーケンスを１つの単位として使用することによって、＋１または−１の位相回転を実施する。
【００８２】
５０３：大きいＲＵのＨＥ−ＬＴＦシーケンスを生成するために、位相回転の後に取得されるいくつかの基本的なＨＥ−ＬＴＦシーケンスを連結し、大きいＲＵに対応するいくつかの小さいＲＵ間の残余のサブキャリアの量および位置に従って、対応する位置に＋１または−１をさらに埋める。
【００８３】
５０４：伝送帯域幅の範囲内で、小さいＲＵから大きいＲＵへ連結を実施し、様々なＲＵの最適なＰＡＰＲを有するＰＡＰＲシーケンスを、帯域幅に対応するＨＥ−ＬＴＦシーケンスとして選択する。
【００８４】
異なる帯域幅に関して、前述の方法に従って生成されたＨＥ−ＬＴＦシーケンスは、ワイヤレスローカルエリアネットワーク内のＡＰエンドおよびＳＴＡエンドでそれぞれ格納されてよく、その結果、ＨＥ−ＬＴＦシーケンスは、上記で言及されたアップリンクおよびダウンリンク送信処理において直接的に使用されることに留意されたい。
【００８５】
いくつかのより具体的な実施形態が、以下で説明される。前述の実施形態において、異なるＯＦＤＭＡサブキャリアのマッピング手法において、送信機（ＡＰまたはＳＴＡ）は、異なるＨＥ−ＬＴＦシーケンスを、異なる帯域幅、異なるＲＵ位置、および異なるＲＵサイズに従って送信することが言及される。手法は、以下のステップを含む。
【００８６】
６０１：１つのＨＥ−ＬＴＦシーケンスを帯域幅に従って選択し、ここで、１つのＨＥ−ＬＴＦシーケンスは、８０２．１１ａｘにおける２ｘモードおよび４ｘモードにそれぞれ対応する２つの形式を有する。
【００８７】
好ましくは、２ｘモードにおけるＨＥ−ＬＴＦは、サブシーケンスＧａ、サブシーケンスＧｂ、および残余（ｌｅｆｔｏｖｅｒ）のサブキャリア位置に配置される＋１または−１を含む。ＧａおよびＧｂは、＋１または−１によって形成され、長さ１３を有するシーケンスである。具体例において、ＧａおよびＧｂは、それぞれ、
【００８８】
【数８】
0006463552.tif 000009
【００８９】
である。
【００９０】
0006463552.tif 000010
【００９１】
0006463552.tif 000011
【００９２】
前述の導き出されたシーケンスは、以下の公式を使用することによって生成されることがあり、
【００９３】
【数９】
0006463552.tif 000012
【００９４】
ここで、
【００９５】
【数１０】
0006463552.tif 000013
【００９６】
は、符号反転が、パイロット位置（すなわち、シーケンスの数が３および１０であるサブキャリアの位置）において実施されることを示し、
【００９７】
【数１１】
0006463552.tif 000014
【００９８】
は、符号反転が、パイロット位置（すなわち、シーケンスの数が４および１１であるサブキャリアの位置）において実施されることを示し、
【００９９】
【数１２】
0006463552.tif 000015
【０１００】
は、符号反転が、偶数の位置において実施されることを示す。
【０１０１】
0006463552.tif 000016
【０１０２】
0006463552.tif 000017
【０１０３】
0006463552.tif 000018
【０１０４】
0006463552.tif 000019
【０１０５】
0006463552.tif 000020
【０１０６】
４ｘモードにおけるＨＥ−ＬＴＦは、シーケンスＧａ、サブシーケンスＧｂ、および残余ｌｅｆｔｏｖｅｒのサブキャリアの位置に配置される＋１または−１を含む。ＧａまたはＧｂは、＋１または−１によって形成され、長さ２６を有するシーケンスである。具体的には
【０１０７】
【数１３】
0006463552.tif 000021
【０１０８】
および
【０１０９】
【数１４】
0006463552.tif 000022
【０１１０】
である。
【０１１１】
0006463552.tif 000023
【０１１２】
前述の導き出されたシーケンスは、以下の公式を使用することによって生成されることがあり、
【０１１３】
【数１５】
0006463552.tif 000024
【０１１４】
ここで、
【０１１５】
【数１６】
0006463552.tif 000025
【０１１６】
は、符号反転が、パイロット位置（すなわち、シーケンスの数が６および２０であるサブキャリア）において実施されることを示す。
【０１１７】
【数１７】
0006463552.tif 000026
【０１１８】
は、符号反転が、パイロット位置（すなわち、シーケンスの数が７および２１であるサブキャリア）において実施されることを示す。
【０１１９】
【数１８】
0006463552.tif 000027
【０１２０】
は、符号反転が、偶数の位置において実施されることを示す。
【０１２１】
【０１２２】
0006463552.tif 000028
【０１２３】
0006463552.tif 000029
【０１２４】
0006463552.tif 000030
【０１２５】
0006463552.tif 000031
【０１２６】
0006463552.tif 000032
【０１２７】
好ましい実施形態において、異なる２ｘ／４ｘモードに関して、ＨＥ−ＬＴＦシーケンスは、導き出されたシーケンスの異なる組合せをさらに含む。
【０１２８】
Ｇａシーケンス、Ｇｂシーケンス、ならびにＧａシーケンスおよびＧｂシーケンスに従って生成される、異なる導き出されたシーケンスに関して、２ｘモードにおける連結された組合せは、以下のシーケンスの１つのまたは任意の組合せを含むが、これに限定されない。
【０１２９】
【数１９】
0006463552.tif 000033
【０１３０】
Ｇａシーケンス、Ｇｂシーケンス、ならびにＧａシーケンスおよびＧｂシーケンスに従って生成される、異なる導き出されたシーケンスに関して、４ｘモードにおける連結された組合せは、以下のシーケンスの１つのまたは任意の組合せを含むが、これに限定されない。
【０１３１】
【数２０】
0006463552.tif 000034
【０１３２】
明らかに、シーケンスの異なる式の手法に従って、前述の連結された組合せは、対応する異なる式の手法を有することもあり、異なる式の手法の内容は、実質的に同じである。
【０１３３】
本明細書で、ワイヤレスローカルエリアネットワーク内のＡＰまたはＳＴＡにおいて、サブシーケンスＧａおよびサブシーケンスＧｂだけが格納されてよいことに留意されたい。ＰＰＤＵが送られる必要があるとき、ＨＥ−ＬＴＦシーケンスは生成され、次に送られるか、または前述のＨＥ−ＬＴＦシーケンスは、ＡＰもしくはＳＴＡ内に直接的に格納されてもよく、ＨＥ−ＬＴＦシーケンスは、必要なときに対応するサブキャリア上で送られる。
【０１３４】
６０２：リソース割り当て情報内にある、ＲＵのサイズおよびＲＵの位置に従って、ＨＥ−ＬＴＦシーケンスを送信する。
【０１３５】
具体的には、図１ａ、図１ｂ、および図１ｃにおけるトーンプランを参照しながら、ＨＥ−ＬＴＦシーケンスの対応する位置におけるサブシーケンスのセグメントは、対応する位置におけるサブキャリア上に設置され、そして、送られる。
【０１３６】
いくつかのより詳細なＨＥ−ＬＴＦシーケンスが以下に提供され、これらのシーケンスはすべて、ＰＡＰＲが比較的低いという前述の特性を有する。
【実施例１】
【０１３７】
２ｘモードでは、２０ＭＨｚ帯域幅の２ｘシンボル上に１２８個のサブキャリアが存在する。図１ａに示されているように、異なるリソースブロックサイズに従って、ＲＵサイズは１３、２６、５４、または１２１個のサブキャリアであってよい。
【０１３８】
２０ＭＨｚ送信には、多くのタイプの２ｘ  ＨＥ−ＬＴＦシーケンスが存在する。好ましいＨＥ−ＬＴＦシーケンスのいくつかのタイプのみが下に示されている。
【０１３９】
【数２１】
0006463552.tif 000035
【０１４０】
当業者は、−１２２：２：１２２が、インデックス−１２２から１２２までの偶数インデックスを持つサブキャリア、すなわち、インデックス｛−１２２、−１２０、．．．、−２、０、＋２、．．．、＋１２０、＋１２２｝を持つサブキャリアを意味していることを知っている。上のサブキャリアの（マップされた）値は、前述のシーケンス内の対応する位置での要素である。他の位置（インデックス）を持つサブキャリアの（マップされた）値は０である。以降、このような式の手法は、繰り返して説明されない。
【０１４１】
0006463552.tif 000036
【０１４２】
【数２２】
0006463552.tif 000037
【０１４３】
および
【０１４４】
【数２３】
0006463552.tif 000038
【０１４５】
である。
【０１４６】
前述のシーケンスの詳細および生成処理については、２ｘ  ＨＥ−ＬＴＦシーケンスの前述の説明を参照されたい。
【０１４７】
さらに具体的には、前述の２Ｘ  ＨＥ−ＬＴＦシーケンスは、次のように直接格納されてよい。
【０１４８】
【数２４】
0006463552.tif 000039
【０１４９】
図８ａは、前述のＨＥ−ＬＴＦシーケンスが２０ＭＨｚ帯域幅の送信で使用された場合のＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０１５０】
ＰＡＰＲ値の第１のグループは、左から右へ順番に２６−サブキャリアリソースブロックに対応するＰＡＰＲ値である。第１の行内の値２．７６、３．６８、２．７６、３．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、２．７６は第１の２６−サブキャリアリソースブロックに対応するＰＡＰＲ値であり、３．６８は左から右に第２の２６−サブキャリアリソースブロックに対応するＰＡＰＲ値である、などとなっている。第２の行内の値３．６７、２．７６、３．６８、２．７６、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、３．６８は第１の２６−サブキャリアリソースブロックに対応するＰＡＰＲ値であり、２．７６は左から右に第２の２６−サブキャリアリソースブロックに対応するＰＡＰＲ値である、などとなっている。第３の行内の値３．３０、４．４６、３．３０、４．４６、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．３０は第１の２６−サブキャリアリソースブロックに対応するＰＡＰＲ値であり、４．４６は左から右に第２の２６−サブキャリアリソースブロックに対応するＰＡＰＲ値である、などとなっている。第４の行内の値４．４６、３．３０、４．４６、３．３０、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．４６は第１の２６−サブキャリアリソースブロックに対応するＰＡＰＲ値であり、３．３０は左から右に第２の２６−サブキャリアリソースブロックに対応するＰＡＰＲ値である、などとなっている。
【０１５１】
ＰＡＰＲ値の第２のグループは、左から右へ順番に、第２の行内の５２−サブキャリアリソースブロックに対応するＰＡＰＲ値である。第１の行内の値４．６８、４．６８、４．３３、４．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。
【０１５２】
第２の行内の値４．６８、４．６８、４．４８、および４．６８は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第３の行内の値４．６９、４．６９、４．３５、および４．６９は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．６９は第１の５２−サブキャリアリソースブロックに対応するＰＡＰＲ値であり、第２の４．６９は左から右へ第２の５２−サブキャリアリソースブロックに対応するＰＡＰＲ値である、などとなっている。第４の行内の値４．６９、４．６９、４．７７、および４．６９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．６９は第１の５２−サブキャリアリソースブロックに対応するＰＡＰＲ値であり、第２の４．６９は左から右へ第２の５２−サブキャリアリソースブロックに対応するＰＡＰＲ値である、などとなっている。
【０１５３】
ＰＡＰＲ値の第３のグループは、左から右へ順番に、第３の行内の１０６−サブキャリアリソースブロックに対応するＰＡＰＲ値である。第１の行内の値４．８９および３．９３は、データ位置の値にすべて＋１が乗じられ、パイロット位置の値にすべて＋１が乗じられた場合に、ＨＥ−ＬＴＦシーケンスに対応するＰＡＰＲ値であり、第３の行内で左から右へ順番に、４．８９は第１の１０６−サブキャリアリソースブロックに対応するＰＡＰＲ値であり、３．９３は左から右へ第２の１０６−サブキャリアリソースブロックに対応するＰＡＰＲ値である。第２の行内の値４．２３および４．７６は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．２３は第１の１０６−サブキャリアリソースブロックに対応するＰＡＰＲ値であり、４．７６は左から右へ第２の１０６−サブキャリアリソースブロックに対応するＰＡＰＲ値である。第３の行内の値４．７９および４．７３は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．７９は第１の１０６−サブキャリアリソースブロックに対応するＰＡＰＲ値であり、４．７３は左から右へ第２の１０６−サブキャリアリソースブロックに対応するＰＡＰＲ値である。第４の行内の値４．３８および４．８７は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．３８は第１の１０６−サブキャリアリソースブロックに対応するＰＡＰＲ値であり、４．８７は左から右へ第２の１０６−サブキャリアリソースブロックに対応するＰＡＰＲ値である。
【０１５４】
第４のグループの値５．３１、５．３２、５．４８、および５．４６は、第４の行内の２４２−サブキャリアリソースブロックに対応するＰＡＰＲ値であり、第１の５．３１は、データ位置の値にすべて＋１が乗じられ、パイロット位置の値にすべて＋１が乗じられた場合に、ＨＥ−ＬＴＦシーケンスに対応するＰＡＰＲ値であり、第２の５．３２は、データ位置の値にすべて−１が乗じられ、パイロット位置の値にすべて＋１が乗じられた場合に、ＨＥ−ＬＴＦシーケンスに対応するＰＡＰＲ値であり、第３の５．４８は、データ位置の値にすべてｗが乗じられ、パイロット位置の値にすべて＋１が乗じられた場合に、ＨＥ−ＬＴＦシーケンスに対応するＰＡＰＲ値であり、第４の５．４６は、データ位置の値にすべてｗ2が乗じられ、パイロット位置の値にすべて＋１が乗じられた場合に、ＨＥ−ＬＴＦシーケンスに対応するＰＡＰＲ値である。
【０１５５】
２ｘモードでの第２のＨＥ−ＬＴＦシーケンスは次のとおりである。
【０１５６】
【数２５】
0006463552.tif 000040
【０１５７】
0006463552.tif 000041
【０１５８】
0006463552.tif 000042
【０１５９】
もっとも、２ｘモードでの前述のＨＥ−ＬＴＦシーケンスは、次のように直接格納されてよい。
【０１６０】
【数２６】
0006463552.tif 000043
【０１６１】
前述のＨＥ−ＬＴＦシーケンスを使用することによって取得されるＰＡＰＲ値は、図８ａに示されたＰＡＰＲ値と同じである。
【０１６２】
２ｘモードでの第３のＨＥ−ＬＴＦシーケンスは次のとおりである。
【０１６３】
【数２７】
0006463552.tif 000044
【０１６４】
0006463552.tif 000045
【０１６５】
前述の２ｘモードでのＨＥ−ＬＴＦシーケンスは、次のように直接格納されてよい。
【０１６６】
【数２８】
0006463552.tif 000046
【０１６７】
図８ｂは、２０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０１６８】
値の第１のグループは、左から右へ順番に２６−サブキャリアリソースブロックに対応するＰＡＰＲ値である。第１の行内の値２．７６、３．６８、２．７６、３．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、２．７６は第１の２６−サブキャリアリソースブロックに対応するＰＡＰＲ値であり、３．６８は左から右へ第２の２６−サブキャリアリソースブロックに対応するＰＡＰＲ値である、などとなっている。第２の行内の値３．６８、２．７６、３．６８、２．７６、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、３．６８は第１の２６−サブキャリアリソースブロックに対応するＰＡＰＲ値であり、２．７６は左から右へ第２の２６−サブキャリアリソースブロックに対応するＰＡＰＲ値である、などとなっている。第３の行内の値３．３０、４．４６、４．４６、３．３０、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．３０は第１の２６−サブキャリアリソースブロックに対応するＰＡＰＲ値であり、４．４６は左から右へ第２の２６−サブキャリアリソースブロックに対応するＰＡＰＲ値である、などとなっている。第４の行内の値４．４６、３．３０、３．３０、４．４６、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．４６は第１の２６−サブキャリアリソースブロックに対応するＰＡＰＲ値であり、３．３０は左から右へ第２の２６−サブキャリアリソースブロックに対応するＰＡＰＲ値である、などとなっている。
【０１６９】
値の第２のグループは、左から右へ順番に、第２の行内の５２−サブキャリアリソースブロックに対応するＰＡＰＲ値である。第１の行内の値４．６８、４．３３、４．６８、および４．６８は、データ位置の値にすべて＋１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．３３は左から右へ第２の５２−サブキャリアリソースブロックに対応するＰＡＰＲ値である、などとなっている。
【０１７０】
第２の行内の値４．６８、４．４８、４．６８、および４．６８は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．４８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第３の行内の値４．６９、４．３５、４．６９、および４．６９は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．６９は第１の５２−サブキャリアリソースブロックに対応するＰＡＰＲ値であり、第２の４．３５は左から右へ第２の５２−サブキャリアリソースブロックに対応するＰＡＰＲ値である、などとなっている。第４の行内の値４．６９、４．７７、４．６９、４．６９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．６９は第１の５２−サブキャリアリソースブロックに対応するＰＡＰＲ値であり、第２の４．７７は左から右へ第２の５２−サブキャリアリソースブロックに対応するＰＡＰＲ値である、などとなっている。
【０１７１】
値の第３のグループは、左から右へ順番に、第３の行内の１０６−サブキャリアリソースブロックに対応するＰＡＰＲ値である。第１の行内の値３．９３および４．８９は、データ位置の値にすべて＋１が乗じられ、パイロット位置の値にすべて＋１が乗じられた場合に、ＨＥ−ＬＴＦシーケンスに対応するＰＡＰＲ値であり、第３の行内で左から右へ順番に、３．９３は第１の１０６−サブキャリアリソースブロックに対応するＰＡＰＲ値であり、４．８９は左から右へ第２の１０６−サブキャリアリソースブロックに対応するＰＡＰＲ値である。第２の行内の値４．７６および４．２３は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．７６は第１の１０６−サブキャリアリソースブロックに対応するＰＡＰＲ値であり、４．２３は左から右へ第２の１０６−サブキャリアリソースブロックに対応するＰＡＰＲ値である。第３の行内の値４．７３および４．７９は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．７３は第１の１０６−サブキャリアリソースブロックに対応するＰＡＰＲ値であり、４．７９は左から右へ第２の１０６−サブキャリアリソースブロックに対応するＰＡＰＲ値である。第４の行内の値４．８７および４．３８は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．８７は第１の１０６−サブキャリアリソースブロックに対応するＰＡＰＲ値であり、４．３８は左から右へ第２の１０６−サブキャリアリソースブロックに対応するＰＡＰＲ値である。
【０１７２】
第４のグループの値５．３１、５．３２、５．４８、および５．４６は、第４の行内の２４２−サブキャリアリソースブロックに対応するＰＡＰＲ値である。第１の５．３１は、データ位置の値にすべて＋１が乗じられ、パイロット位置の値にすべて＋１が乗じられた場合に、ＨＥ−ＬＴＦシーケンスに対応するＰＡＰＲ値である。第２の５．３２は、データ位置の値にすべて−１が乗じられ、パイロット位置の値にすべて＋１が乗じられた場合に、ＨＥ−ＬＴＦシーケンスに対応するＰＡＰＲ値である。第３の５．４８は、データ位置の値にすべてｗが乗じられ、パイロット位置の値にすべて＋１が乗じられた場合に、ＨＥ−ＬＴＦシーケンスに対応するＰＡＰＲ値である。第１の５．４６は、データ位置の値にすべてｗ2が乗じられ、パイロット位置の値にすべて＋１が乗じられた場合に、ＨＥ−ＬＴＦシーケンスに対応するＰＡＰＲ値である。
【０１７３】
２ｘモードでの第４のＨＥ−ＬＴＦシーケンスは次のとおりである。
【０１７４】
【数２９】
0006463552.tif 000047
【０１７５】
0006463552.tif 000048
【０１７６】
別のシーケンス式の手法を使用することに加えて、ＨＥ−ＬＴＦシーケンスは次のように直接格納されてもよい。
【０１７７】
【数３０】
0006463552.tif 000049
【０１７８】
前述のＨＥ−ＬＴＦシーケンスを使用することによって取得されるＰＡＰＲ値は、図８ｂに示されたＰＡＰＲ値と同じであり、詳細は本明細書で再び説明されない。
【実施例２】
【０１７９】
４０ＭＨｚ帯域幅の２ｘシンボル上に、５１２個のサブキャリアが存在する。図１ｂに示されているように、異なるリソースブロックサイズに従って、ＲＵサイズは２６、５２、１０６、２４２、または４８４個のサブキャリアであってよい。
【０１８０】
４０ＭＨｚの４８４−サブキャリアの２Ｘモードには、多くのタイプのＨＥ−ＬＴＦシーケンスが存在する。ＨＥ−ＬＴＦシーケンスのいくつかのタイプのみが下に示されている。
【０１８１】
４０ＭＨｚの２Ｘモードでの第１のＨＥ−ＬＴＦシーケンスは次のとおりである。
【０１８２】
【数３１】
0006463552.tif 000050
【０１８３】
0006463552.tif 000051
【０１８４】
別の式の手法を使用することに加えて、前述のシーケンスは次のようにさらに直接格納されてもよい。
【０１８５】
【数３２】
0006463552.tif 000052
【０１８６】
当業者は、前述の式を使用して単純に表された前述のシーケンスが次のようになるべきであることを知っている。
【０１８７】
【数３３】
0006463552.tif 000053
【０１８８】
図９は、４０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０１８９】
値の第１のグループは、左から右へ順番に２６−サブキャリアリソースブロックに対応するＰＡＰＲ値である。第１の行内の値２．７６、３．６８、２．７６、３．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、２．７６は第１の２６−サブキャリアリソースブロックに対応するＰＡＰＲ値であり、３．６８は左から右へ第２の２６−サブキャリアリソースブロックに対応するＰＡＰＲ値である、などとなっている。第２の行内の値３．６８、２．７６、３．６８、２．７６、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、３．６８は第１の２６−サブキャリアリソースブロックに対応するＰＡＰＲ値であり、２．７６は左から右へ第２の２６−サブキャリアリソースブロックに対応するＰＡＰＲ値である、などとなっている。第３の行内の値３．３０、４．４６、３．３０、４．４６、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．３０は第１の２６−サブキャリアリソースブロックに対応するＰＡＰＲ値であり、４．４６は左から右へ第２の２６−サブキャリアリソースブロックに対応するＰＡＰＲ値である、などとなっている。第４の行内の値４．４６、３．３０、４．４６、３．３０、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．４６は第１の２６−サブキャリアリソースブロックに対応するＰＡＰＲ値であり、３．３０は左から右へ第２の２６−サブキャリアリソースブロックに対応するＰＡＰＲ値である、などとなっている。
【０１９０】
値の第２のグループは、左から右へ順番に、第２の行内の５２−サブキャリアリソースブロックに対応するＰＡＰＲ値である。第１の行内の値４．６８、４．６８、４．３４、４．４８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第２の行内の値４．６８、４．６８、４．４８、４．３４、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第３の行内の値４．６９、４．６９、４．３５、４．７７、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．６９は第１の５２−サブキャリアリソースブロックに対応するＰＡＰＲ値であり、第２の４．６９は左から右へ第２の５２−サブキャリアリソースブロックに対応するＰＡＰＲ値である、などとなっている。第４の行内の値４．６９、４．６９、４．７７、および４．３５は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．６９は第１の５２−サブキャリアリソースブロックに対応するＰＡＰＲ値であり、第２の４．６９は左から右へ第２の５２−サブキャリアリソースブロックに対応するＰＡＰＲ値である、などとなっている。
【０１９１】
値の第３のグループは、左から右へ順番に、第３の行内の１０６−サブキャリアリソースブロックに対応するＰＡＰＲ値である。第１の行内の値５．４２、４．３４、４．３４、および５．４２は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、５．４２は第１の１０６−サブキャリアリソースブロックに対応するＰＡＰＲ値であり、４．３４は左から右へ第２の１０６−サブキャリアリソースブロックに対応するＰＡＰＲ値である、などとなっている。第２の行内の値４．８５、５．５０、５．５０、および４．８５は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．８５は第１の１０６−サブキャリアリソースブロックに対応するＰＡＰＲ値であり、５．５０は左から右へ第２の１０６−サブキャリアリソースブロックに対応するＰＡＰＲ値である、などとなっている。第３の行内の値４．９４、４．６３、４．６３、および４．９４は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．９４は第１の１０６−サブキャリアリソースブロックに対応するＰＡＰＲ値であり、４．６３は左から右へ第２の１０６−サブキャリアリソースブロックに対応するＰＡＰＲ値である、などとなっている。第４の行内の値４．６８、５．１６、５．１６、および４．６８は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．６８は第１の１０６−サブキャリアリソースブロックに対応するＰＡＰＲ値であり、５．１６は左から右へ第２の１０６−サブキャリアリソースブロックに対応するＰＡＰＲ値である。
【０１９２】
値の第４のグループは、左から右へ順番に、第３の行内の２４２−サブキャリアリソースブロックに対応するＰＡＰＲ値である。第１の行内の値５．３２および５．３２は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の５．３２は第１の２４２−サブキャリアリソースブロックに対応するＰＡＰＲ値であり、第２の５．３２は左から右へ第２の２４２−サブキャリアリソースブロックに対応するＰＡＰＲ値である。第２の行内の値５．３７および５．３７は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の５．３７は第１の２４２−サブキャリアリソースブロックに対応するＰＡＰＲ値であり、第２の５．３７は左から右へ第２の２４２−サブキャリアリソースブロックに対応するＰＡＰＲ値である。第３の行内の値５．５０および５．５０は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の５．５０は第１の２４２−サブキャリアリソースブロックに対応するＰＡＰＲ値であり、第２の５．５０は左から右へ第２の２４２−サブキャリアリソースブロックに対応するＰＡＰＲ値である。第４の行内の値５．３９および５．３９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の５．３９は第１の２４２−サブキャリアリソースブロックに対応するＰＡＰＲ値であり、第２の５．３９は左から右へ第２の２４２−サブキャリアリソースブロックに対応するＰＡＰＲ値である。
【０１９３】
第５のグループの値６．００、４．９８、６．１５、および５．２６は、第４の行内の２４２−サブキャリアリソースブロックに対応するＰＡＰＲ値である。第１の６．００は、データ位置の値にすべて＋１が乗じられ、パイロット位置の値にすべて＋１が乗じられた場合に、ＨＥ−ＬＴＦシーケンスに対応するＰＡＰＲ値である。第２の４．９８は、データ位置の値にすべて−１が乗じられ、パイロット位置の値にすべて＋１が乗じられた場合に、ＨＥ−ＬＴＦシーケンスに対応するＰＡＰＲ値である。第３の６．１５は、データ位置の値にすべてｗが乗じられ、パイロット位置の値にすべて＋１が乗じられた場合に、ＨＥ−ＬＴＦシーケンスに対応するＰＡＰＲ値である。第４の５．２６は、データ位置の値にすべてｗ2が乗じられ、パイロット位置の値にすべて＋１が乗じられた場合に、ＨＥ−ＬＴＦシーケンスに対応するＰＡＰＲ値である。
【０１９４】
４０ＭＨｚの２ｘモードでの第２のＨＥ−ＬＴＦシーケンスは次のとおりである。
【０１９５】
【数３４】
0006463552.tif 000054
【０１９６】
0006463552.tif 000055
【０１９７】
0006463552.tif 000056
【０１９８】
同様に、ＨＥ−ＬＴＦシーケンスは、次のように直接格納されてよい。
【０１９９】
【数３５】
0006463552.tif 000057
【０２００】
当業者は、前述の式を使用して単純に表された前述のシーケンスが次のようになるべきであることを知っている。
【０２０１】
【数３６】
0006463552.tif 000058
【０２０２】
前述のＨＥ−ＬＴＦシーケンスを使用することによって取得されるＰＡＰＲ値は、図９に示されたＰＡＰＲ値と同じであり、詳細は再び説明されない。
【実施例３】
【０２０３】
８０ＭＨｚ帯域幅の２ｘシンボル上に、２５６個のサブキャリアが存在する。図１ｃに示されているように、異なるリソースブロックサイズに従って、ＲＵサイズは２６、５２、１０６、２４２、４８４、または９９６個のサブキャリアであってよい。
【０２０４】
８０ＭＨｚ送信における９９６個のサブキャリアの２ｘシンボルには、多くのタイプのＨＥ−ＬＴＦシーケンスが存在してよい。ＨＥ−ＬＴＦシーケンスのいくつかのタイプが下に示されている。
【０２０５】
８０ＭＨｚ送信における第１の２ｘ  ＨＥ−ＬＴＦシーケンスは次のとおりである。
【０２０６】
【数３７】
0006463552.tif 000059
【０２０７】
0006463552.tif 000060
【０２０８】
明らかに、ＨＥ−ＬＴＦシーケンスは、次のように格納されてもよい。
【０２０９】
【数３８】
0006463552.tif 000061
【０２１０】
当業者は、前述の式を使用して単純に表された前述のシーケンスが次のようになるべきであることを知っている。
【０２１１】
【数３９】
0006463552.tif 000062
【０２１２】
図１０は、８０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０２１３】
値の第１のグループは、左から右へ順番に２６−サブキャリアリソースブロックに対応するＰＡＰＲ値である。第１の行内の値２．７６、３．６８、２．７６、３．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、２．７６は第１の２６−サブキャリアリソースブロックに対応するＰＡＰＲ値であり、３．６８は左から右へ第２の２６−サブキャリアリソースブロックに対応するＰＡＰＲ値である、などとなっている。第２の行内の値３．６８、２．７６、３．６８、２．７６、．．．、は、データ位置の値にすべて＋１が乗じられ、パイロット位置の値にすべて−１が乗じられた場合に、ＨＥ−ＬＴＦシーケンスに対応するＰＡＰＲ値であり、第２の行内で左から右へ順番に、３．６８は第１の２６−サブキャリアリソースブロックに対応するＰＡＰＲ値であり、２．７６は左から右へ第２の２６−サブキャリアリソースブロックに対応するＰＡＰＲ値である、などとなっている。第３の行内の値３．３０、４．４６、３．３０、４．４６、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．３０は第１の２６−サブキャリアリソースブロックに対応するＰＡＰＲ値であり、４．４６は左から右へ第２の２６−サブキャリアリソースブロックに対応するＰＡＰＲ値である、などとなっている。第４の行内の値４．４６、３．３０、４．４６、３．３０、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．４６は第１の２６−サブキャリアリソースブロックに対応するＰＡＰＲ値であり、３．３０は左から右へ第２の２６−サブキャリアリソースブロックに対応するＰＡＰＲ値である、などとなっている。
【０２１４】
値の第２のグループは、左から右へ順番に、第２の行内の５２−サブキャリアリソースブロックに対応するＰＡＰＲ値である。第１の行内の値４．６８、４．６８、４．６９、４．６９、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第２の行内の値４．６８、４．６８、４．６９、４．６９、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第３の行内の値４．６８、４．６８、４．６９、４．６９、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第４の行内の値４．６８、４．６８、４．６９、および４．６９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。
【０２１５】
値の第３のグループは、左から右へ順番に、第３の行内の１０６−サブキャリアリソースブロックに対応するＰＡＰＲ値である。第１の行内の値５．４２、５．３３、５．４２、５．３３、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、５．４２は第１の１０６−サブキャリアリソースブロックに対応するＰＡＰＲ値であり、５．３３は左から右へ第２の１０６−サブキャリアリソースブロックに対応するＰＡＰＲ値である、などとなっている。第２の行内の値４．８５、５．４１、４．８５、５．４１、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．８５は第１の１０６−サブキャリアリソースブロックに対応するＰＡＰＲ値であり、５．５０は左から右へ第２の１０６−サブキャリアリソースブロックに対応するＰＡＰＲ値である、などとなっている。第３の行内の値４．９５、５．１８、４．９５、５．１８、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．９５は第１の１０６−サブキャリアリソースブロックに対応するＰＡＰＲ値であり、５．１８は左から右へ第２の１０６−サブキャリアリソースブロックに対応するＰＡＰＲ値である、などとなっている。第４の行内の値４．６８、４．９７、４．６８、４．９７、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．６８は第１の１０６−サブキャリアリソースブロックに対応するＰＡＰＲ値であり、４．９７は左から右へ第２の１０６−サブキャリアリソースブロックに対応するＰＡＰＲ値である。
【０２１６】
値の第４のグループは、左から右へ順番に、第４の行内の２４２−サブキャリアリソースブロックに対応するＰＡＰＲ値である。第１の行内の値５．２９および５．２９は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の５．２９は第１の２４２−サブキャリアリソースブロックに対応するＰＡＰＲ値であり、第２の５．２９は左から右へ第２の２４２−サブキャリアリソースブロックに対応するＰＡＰＲ値である。第２の行内の値５．５８および５．５８は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の５．５８は第１の２４２−サブキャリアリソースブロックに対応するＰＡＰＲ値であり、第２の５．５８は左から右へ第２の２４２−サブキャリアリソースブロックに対応するＰＡＰＲ値である。第３の行内の値５．４０および５．４０は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の５．４０は第１の２４２−サブキャリアリソースブロックに対応するＰＡＰＲ値であり、第２の５．４０は左から右へ第２の２４２−サブキャリアリソースブロックに対応するＰＡＰＲ値である。第４の行内の値５．４６および５．４６は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の５．４６は第１の２４２−サブキャリアリソースブロックに対応するＰＡＰＲ値であり、第２の５．４６は左から右へ第２の２４２−サブキャリアリソースブロックに対応するＰＡＰＲ値である。
【０２１７】
値の第５のグループは、左から右へ順番に、第５の行内の４８４−サブキャリアリソースブロックに対応するＰＡＰＲ値である。第１の行内の値６．２７および６．１３は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、６．２７は第１の４８４−サブキャリアリソースブロックに対応するＰＡＰＲ値であり、６．１３は左から右へ第２の４８４−サブキャリアリソースブロックに対応するＰＡＰＲ値である。第２の行内の値６．１１および６．４０は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、６．１１は第１の２４２−サブキャリアリソースブロックに対応するＰＡＰＲ値であり、６．４０は左から右へ第２の４８４−サブキャリアリソースブロックに対応するＰＡＰＲ値である。第３の行内の値６．２４および６．３４は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、６．２４は第１の４８４−サブキャリアリソースブロックに対応するＰＡＰＲ値であり、６．３４は左から右へ第２の４８４−サブキャリアリソースブロックに対応するＰＡＰＲ値である。第４の行内の値６．２９および６．２５は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、６．２９は第１の４８４−サブキャリアリソースブロックに対応するＰＡＰＲ値であり、６．２５は左から右へ第２の４８４−サブキャリアリソースブロックに対応するＰＡＰＲ値である。
【０２１８】
第６のグループの値６．０１、５．６８、６．０８、および５．９２は、第６の行内の９９６−サブキャリアリソースブロックに対応するＰＡＰＲ値である。第１の６．０８は、データ位置の値にすべて＋１が乗じられ、パイロット位置の値にすべて＋１が乗じられた場合に、ＨＥ−ＬＴＦシーケンスに対応するＰＡＰＲ値である。第２の５．６８は、データ位置の値にすべて−１が乗じられ、パイロット位置の値にすべて＋１が乗じられた場合に、ＨＥ−ＬＴＦシーケンスに対応するＰＡＰＲ値である。第３の６．０８は、データ位置の値にすべてｗが乗じられ、パイロット位置の値にすべて＋１が乗じられた場合に、ＨＥ−ＬＴＦシーケンスに対応するＰＡＰＲ値である。第４の５．９２は、データ位置の値にすべてｗ2が乗じられ、パイロット位置の値にすべて＋１が乗じられた場合に、ＨＥ−ＬＴＦシーケンスに対応するＰＡＰＲ値である。
【０２１９】
８０ＭＨｚの２Ｘでの第２のＨＥ−ＬＴＦシーケンスは次のとおりである。
【０２２０】
【数４０】
0006463552.tif 000063
【０２２１】
0006463552.tif 000064
【０２２２】
ＨＥ−ＬＴＦシーケンスは、次のように直接格納されてもよい。
【０２２３】
【数４１−１】
0006463552.tif 000065
【０２２４】
【数４１−２】
0006463552.tif 000066
【０２２５】
第２のＨＥ−ＬＴＦシーケンスが使用された後に、第２のＨＥ−ＬＴＦシーケンスに対応するＰＡＰＲ値は、第１のＨＥ−ＬＴＦシーケンスのＰＡＰＲ値（図１０に示されている）と同じである。
【０２２６】
８０ＭＨｚの２Ｘでの第３のＨＥ−ＬＴＦシーケンスは次のとおりである。
【０２２７】
【数４２】
0006463552.tif 000067
【０２２８】
0006463552.tif 000068
【０２２９】
ＨＥ−ＬＴＦシーケンスは、次のシーケンスのように直接格納されてもよい。
【０２３０】
【数４３−１】
0006463552.tif 000069
【０２３１】
【数４３−２】
0006463552.tif 000070
【０２３２】
図１１は、８０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０２３３】
値の第１のグループは、左から右へ順番に２６−サブキャリアリソースブロックに対応するＰＡＰＲ値である。第１の行内の値２．７６、３．６８、２．７６、３．６８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、２．７６は第１の２６−サブキャリアリソースブロックに対応するＰＡＰＲ値であり、３．６８は左から右へ第２の２６−サブキャリアリソースブロックに対応するＰＡＰＲ値である、などとなっている。第２の行内の値３．６８、２．７６、３．６８、２．７６、．．．、は、データ位置の値にすべて＋１が乗じられ、パイロット位置の値にすべて−１が乗じられた場合に、ＨＥ−ＬＴＦシーケンスに対応するＰＡＰＲ値であり、第２の行内で左から右へ順番に、３．６８は第１の２６−サブキャリアリソースブロックに対応するＰＡＰＲ値であり、２．７６は左から右へ第２の２６−サブキャリアリソースブロックに対応するＰＡＰＲ値である、などとなっている。第３の行内の値３．３０、４．４６、３．３０、４．４６、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．３０は第１の２６−サブキャリアリソースブロックに対応するＰＡＰＲ値であり、４．４６は左から右へ第２の２６−サブキャリアリソースブロックに対応するＰＡＰＲ値である、などとなっている。第４の行内の値４．４６、３．３０、４．４６、３．３０、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．４６は第１の２６−サブキャリアリソースブロックに対応するＰＡＰＲ値であり、３．３０は左から右へ第２の２６−サブキャリアリソースブロックに対応するＰＡＰＲ値である、などとなっている。
【０２３４】
値の第２のグループは、左から右へ順番に、第２の行内の５２−サブキャリアリソースブロックに対応するＰＡＰＲ値である。第１の行内の値４．６８、４．６８、４．６９、４．６９、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第２の行内の値４．６８、４．６８、４．６９、４．６９、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第３の行内の値４．６８、４．６８、４．６９、４．６９、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。第４の行内の値４．６８、４．６８、４．６９、および４．６９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．６８は第１の５２−サブキャリアリソースブロックに対応するＰＡＰＲ値であり、第２の４．６８は左から右へ第２の５２−サブキャリアリソースブロックに対応するＰＡＰＲ値である、などとなっている。
【０２３５】
値の第３のグループは、左から右へ順番に、第３の行内の１０６−サブキャリアリソースブロックに対応するＰＡＰＲ値である。第１の行内の値５．４２、５．３３、５．４２、５．３３、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、５．４２は第１の１０６−サブキャリアリソースブロックに対応するＰＡＰＲ値であり、５．３３は左から右へ第２の１０６−サブキャリアリソースブロックに対応するＰＡＰＲ値である、などとなっている。第２の行内の値４．８５、５．４１、４．８５、５．４１、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．８５は第１の１０６−サブキャリアリソースブロックに対応するＰＡＰＲ値であり、５．５０は左から右へ第２の１０６−サブキャリアリソースブロックに対応するＰＡＰＲ値である、などとなっている。第３の行内の値４．９５、５．１８、４．９５、５．１８、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．９５は第１の１０６−サブキャリアリソースブロックに対応するＰＡＰＲ値であり、５．１８は左から右へ第２の１０６−サブキャリアリソースブロックに対応するＰＡＰＲ値である、などとなっている。第４の行内の値４．６８、４．９７、４．６８、４．９７、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．６８は第１の１０６−サブキャリアリソースブロックに対応するＰＡＰＲ値であり、４．９７は左から右へ第２の１０６−サブキャリアリソースブロックに対応するＰＡＰＲ値である。
【０２３６】
値の第４のグループは、左から右へ順番に、第４の行内の２４２−サブキャリアリソースブロックに対応するＰＡＰＲ値である。第１の行内の値５．２９および５．２９は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の５．２９は第１の２４２−サブキャリアリソースブロックに対応するＰＡＰＲ値であり、第２の５．２９は左から右へ第２の２４２−サブキャリアリソースブロックに対応するＰＡＰＲ値である。第２の行内の値５．５８および５．５８は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の５．５８は第１の２４２−サブキャリアリソースブロックに対応するＰＡＰＲ値であり、第２の５．５８は左から右へ第２の２４２−サブキャリアリソースブロックに対応するＰＡＰＲ値である。第３の行内の値５．４０および５．４０は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の５．４０は第１の２４２−サブキャリアリソースブロックに対応するＰＡＰＲ値であり、第２の５．４０は左から右へ第２の２４２−サブキャリアリソースブロックに対応するＰＡＰＲ値である。第４の行内の値５．４６および５．４６は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の５．４６は第１の２４２−サブキャリアリソースブロックに対応するＰＡＰＲ値であり、第２の５．４６は左から右へ第２の２４２−サブキャリアリソースブロックに対応するＰＡＰＲ値である。
【０２３７】
値の第５のグループは、左から右へ順番に、第５の行内の４８４−サブキャリアリソースブロックに対応するＰＡＰＲ値である。第１の行内の値６．１３および６．２７は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、６．１３は第１の４８４−サブキャリアリソースブロックに対応するＰＡＰＲ値であり、６．２７は左から右へ第２の４８４−サブキャリアリソースブロックに対応するＰＡＰＲ値である。第２の行内の値６．４０および６．１１は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、６．４０は第１の４８４−サブキャリアリソースブロックに対応するＰＡＰＲ値であり、６．１１は左から右へ第２の４８４−サブキャリアリソースブロックに対応するＰＡＰＲ値である。第３の行内の値６．３４および６．２４は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、６．３４は第１の４８４−サブキャリアリソースブロックに対応するＰＡＰＲ値であり、６．２４は左から右へ第２の４８４−サブキャリアリソースブロックに対応するＰＡＰＲ値である。第４の行内の値６．２５および６．２９は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、６．２５は第１の４８４−サブキャリアリソースブロックに対応するＰＡＰＲ値であり、６．２９は左から右へ第２の４８４−サブキャリアリソースブロックに対応するＰＡＰＲ値である。
【０２３８】
第６のグループの値６．０１、５．６８、６．０８、および５．９２は、第６の行内の９９６−サブキャリアリソースブロックに対応するＰＡＰＲ値である。第１の６．０８は、データ位置の値にすべて＋１が乗じられ、パイロット位置の値にすべて＋１が乗じられた場合に、ＨＥ−ＬＴＦシーケンスに対応するＰＡＰＲ値である。第２の５．６８は、データ位置の値にすべて−１が乗じられ、パイロット位置の値にすべて＋１が乗じられた場合に、ＨＥ−ＬＴＦシーケンスに対応するＰＡＰＲ値である。第３の６．０８は、データ位置の値にすべてｗが乗じられ、パイロット位置の値にすべて＋１が乗じられた場合に、ＨＥ−ＬＴＦシーケンスに対応するＰＡＰＲ値である。第４の５．９２は、データ位置の値にすべてｗ2が乗じられ、パイロット位置の値にすべて＋１が乗じられた場合に、ＨＥ−ＬＴＦシーケンスに対応するＰＡＰＲ値である。
【０２３９】
８０ＭＨｚ  ２ｘモードでの第４のＨＥ−ＬＴＦシーケンスは次のとおりである。
【０２４０】
【数４４】
0006463552.tif 000071
【０２４１】
0006463552.tif 000072
【０２４２】
【数４５−１】
0006463552.tif 000073
【０２４３】
【数４５−２】
0006463552.tif 000074
【０２４４】
第４のＨＥ−ＬＴＦシーケンスが使用された後に、第４のＨＥ−ＬＴＦシーケンスに対応するＰＡＰＲ値は、第３のＨＥ−ＬＴＦシーケンスのＰＡＰＲ値と同じである。詳細については、図１１を参照されたい。ＰＡＰＲ値のグループによれば、異なる回転位相がパイロットサブキャリアおよびその他のサブキャリアに導入された場合でも、ＰＡＰＲ値が極めて小さいことが学習され得る。
【実施例４】
【０２４５】
４ｘモードでは、２０ＭＨｚ帯域幅の４ｘシンボル上に２５６個のサブキャリアが存在する。異なるリソースブロックサイズに従って、図１ａに示されているＲＵサイズは２６、５２、１０６、または２４２個のサブキャリアであってよい。
【０２４６】
２０ＭＨｚの２４２−サブキャリアの４Ｘモードには、多くのタイプのＨＥ−ＬＴＦシーケンスが存在する。ＨＥ−ＬＴＦシーケンスのいくつかのタイプのみが下に示されている。
【０２４７】
２０ＭＨｚの２４２−サブキャリアの４Ｘモードでの第１のＨＥ−ＬＴＦシーケンスは次のとおりである。
【０２４８】
【数４６】
0006463552.tif 000075
【０２４９】
ここで、
【０２５０】
【数４７】
0006463552.tif 000076
【０２５１】
である。
【０２５２】
0006463552.tif 000077
【０２５３】
ＨＥ−ＬＴＦシーケンスは、次のように直接格納されてもよい。
【０２５４】
【数４８】
0006463552.tif 000078
【０２５５】
図１２は、２０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０２５６】
値の第１のグループは、左から右へ順番に２６−サブキャリアリソースブロックに対応するＰＡＰＲ値である。第１の行内の値３．５１、３．７８、３．５１、３．７８、．．．、は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、３．５１は第１の２６−サブキャリアリソースブロックに対応するＰＡＰＲ値であり、３．７８は左から右へ第２の２６−サブキャリアリソースブロックに対応するＰＡＰＲ値である、などとなっている。第２の行内の値３．７８、３．５１、３．７８、３．５１、．．．、は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、３．７８は第１の２６−サブキャリアリソースブロックに対応するＰＡＰＲ値であり、３．５１は左から右へ第２の２６−サブキャリアリソースブロックに対応するＰＡＰＲ値である、などとなっている。第３の行内の値３．２８、３．４８、３．２８、３．４８、．．．、は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、３．２８は第１の２６−サブキャリアリソースブロックに対応するＰＡＰＲ値であり、３．４８は左から右へ第２の２６−サブキャリアリソースブロックに対応するＰＡＰＲ値である、などとなっている。第４の行内の値３．４８、３．２８、３．４８、３．２８、．．．、は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、３．４８は第１の２６−サブキャリアリソースブロックに対応するＰＡＰＲ値であり、３．２８は左から右へ第２の２６−サブキャリアリソースブロックに対応するＰＡＰＲ値である、などとなっている。
【０２５７】
値の第２のグループは、左から右へ順番に、第２の行内の５２−サブキャリアリソースブロックに対応するＰＡＰＲ値である。第１の行内の値４．４２、４．５９、４．６３、および４．４２は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、第１の４．４２は第１の５２サブキャリアリソースブロックに対応するＰＡＰＲ値であり、第２の４．５９は左から右へ第２の５２−サブキャリアリソースブロックに対応するＰＡＰＲ値である、などとなっている。第２の行内の値４．４２、４．６３、４．５９、および４．４２は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、第１の４．４２は第１の５２−サブキャリアリソースブロックに対応するＰＡＰＲ値であり、第２の４．６３は左から右へ第２の５２−サブキャリアリソースブロックに対応するＰＡＰＲ値である、などとなっている。第３の行内の値４．４４、４．８６、４．９７、および４．４２は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、第１の４．４４は第１の５２−サブキャリアリソースブロックに対応するＰＡＰＲ値であり、第２の４．８６は左から右へ第２の５２−サブキャリアリソースブロックに対応するＰＡＰＲ値である、などとなっている。第４の行内の値４．４２、４．９７、４．８６、および４．４４は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、第１の４．４２は第１の５２−サブキャリアリソースブロックに対応するＰＡＰＲ値であり、第２の４．９７は左から右へ第２の５２−サブキャリアリソースブロックに対応するＰＡＰＲ値である、などとなっている。
【０２５８】
値の第３のグループは、左から右へ順番に、第３の行内の１０６−サブキャリアリソースブロックに対応するＰＡＰＲ値である。第１の行内の値４．６５および４．９０は、データ位置の値にすべて＋１が乗じられ、パイロット位置の値にすべて＋１が乗じられた場合に、ＨＥ−ＬＴＦシーケンスに対応するＰＡＰＲ値であり、第１の行内で左から右へ順番に、４．６５は第１の１０６−サブキャリアリソースブロックに対応するＰＡＰＲ値であり、４．９０は左から右へ第２の１０６サブキャリアリソースブロックに対応するＰＡＰＲ値である。第２の行内の値４．６９および５．０１は、データ位置の値にすべて−１が乗じられ、パイロット位置の値にすべて＋１が乗じられた場合に、ＨＥ−ＬＴＦシーケンスに対応するＰＡＰＲ値であり、第２の行内で左から右へ順番に、４．６９は第１の１０６−サブキャリアリソースブロックに対応するＰＡＰＲ値であり、５．０１は左から右へ第２の１０６−サブキャリアリソースブロックに対応するＰＡＰＲ値である。第３の行内の値４．９０および４．９５は、データ位置の値にすべてｗが乗じられ、パイロット位置の値にすべて＋１が乗じられた場合に、ＨＥ−ＬＴＦシーケンスに対応するＰＡＰＲ値であり、第３の行内で左から右へ順番に、４．９０は第１の１０６−サブキャリアリソースブロックに対応するＰＡＰＲ値であり、４．９５は左から右へ第２の１０６−サブキャリアリソースブロックに対応するＰＡＰＲ値である。第４の行内の値４．９２および４．８７は、データ位置の値にすべてｗ2が乗じられ、パイロット位置の値にすべて＋１が乗じられた場合に、ＨＥ−ＬＴＦシーケンスに対応するＰＡＰＲ値であり、第４の行内で左から右へ順番に、４．９２は第１の１０６−サブキャリアリソースブロックに対応するＰＡＰＲ値であり、４．８７は左から右へ第２の１０６−サブキャリアリソースブロックに対応するＰＡＰＲ値である。
【０２５９】
第４のグループの値５．２６、５．３０、５．２９、および５．５６は、第４の行内の２４２−サブキャリアリソースブロックに対応するＰＡＰＲ値である。第１の５．２６は、データ位置の値にすべて＋１が乗じられ、パイロット位置の値にすべて＋１が乗じられた場合に、ＨＥ−ＬＴＦシーケンスに対応するＰＡＰＲ値である。第２の５．３０は、データ位置の値にすべて−１が乗じられ、パイロット位置の値にすべて＋１が乗じられた場合に、ＨＥ−ＬＴＦシーケンスに対応するＰＡＰＲ値である。第３の５．２９は、データ位置の値にすべてｗが乗じられ、パイロット位置の値にすべて＋１が乗じられた場合に、ＨＥ−ＬＴＦシーケンスに対応するＰＡＰＲ値である。第１の５．５６は、データ位置の値にすべてｗ2が乗じられ、パイロット位置の値にすべて＋１が乗じられた場合に、ＨＥ−ＬＴＦシーケンスに対応するＰＡＰＲ値である。
【０２６０】
２０ＭＨｚの２４２−サブキャリアの４Ｘモードでの第２のＨＥ−ＬＴＦシーケンスは次のとおりである。
【０２６１】
【数４９】
0006463552.tif 000079
【０２６２】
ここで、
【０２６３】
【数５０】
0006463552.tif 000080
【０２６４】
である。
【０２６５】
0006463552.tif 000081
【０２６６】
ＨＥ−ＬＴＦシーケンスは、次のように直接格納されてもよい。
【０２６７】
【数５１】
0006463552.tif 000082
【０２６８】
当業者は、前述のシーケンスを表すために前述の簡単な式が使用された場合、前述のシーケンスが次のようになるべきであることを知っている。
【０２６９】
【数５２】
0006463552.tif 000083
【０２７０】
第２のＨＥ−ＬＴＦシーケンスが使用された後に、第２のＨＥ−ＬＴＦシーケンスに対応するＰＡＰＲ値は、第１のＨＥ−ＬＴＦシーケンスのＰＡＰＲ値と同じである。図１２を参照すると、ＰＡＰＲ値のグループによれば、異なる回転位相がパイロットサブキャリアおよびその他のサブキャリアに導入された場合でも、ＰＡＰＲ値が極めて小さいことが学習され得る。
【実施例５】
【０２７１】
４ｘモードでは、４０ＭＨｚ帯域幅の４ｘシンボル上に５１２個のサブキャリアが存在する。図１ｂに示されているように、異なるリソースブロックサイズに従って、ＲＵサイズは２６、５２、１０６、２４２、または４８４個のサブキャリアであってよい。
【０２７２】
４０ＭＨｚの４８４−サブキャリアの４Ｘモードには、多くのタイプのＨＥ−ＬＴＦシーケンスが存在する。ＨＥ−ＬＴＦシーケンスのいくつかのタイプのみが下に示されている。
【０２７３】
４０ＭＨｚの４ｘモードでの第１のＨＥ−ＬＴＦシーケンスは次のとおりである。
【０２７４】
【数５３】
0006463552.tif 000084
【０２７５】
0006463552.tif 000085
【０２７６】
0006463552.tif 000086
【０２７７】
ＨＥ−ＬＴＦシーケンスは、次のように直接格納されてもよい。
【０２７８】
【数５４−１】
0006463552.tif 000087
【０２７９】
【数５４−２】
0006463552.tif 000088
【０２８０】
当業者は、前述のシーケンスを表すために前述の簡単な式が使用された場合、前述のシーケンスが次のようになるべきであることを知っている。
【０２８１】
【数５５】
0006463552.tif 000089
【０２８２】
図１３は、４０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。表内のデータを読み取る手法については、前述の実施形態を参照することとし、詳細は本明細書で再び説明されない。
【０２８３】
４０ＭＨｚの４ｘモードでの第２のＨＥ−ＬＴＦシーケンスは次のとおりである。
【０２８４】
【数５６】
0006463552.tif 000090
【０２８５】
0006463552.tif 000091
【０２８６】
0006463552.tif 000092
【０２８７】
ＨＥ−ＬＴＦシーケンスは、次のように直接格納されてもよい。
【０２８８】
【数５７−１】
0006463552.tif 000093
【０２８９】
【数５７−２】
0006463552.tif 000094
【０２９０】
第２のＨＥ−ＬＴＦシーケンスが使用された後に、第２のＨＥ−ＬＴＦシーケンスに対応するＰＡＰＲ値は、第１のＨＥ−ＬＴＦシーケンスのＰＡＰＲ値と同じである。図１３を参照すると、ＰＡＰＲ値のグループによれば、異なる回転位相がパイロットサブキャリアおよびその他のサブキャリアに導入された場合でも、ＰＡＰＲ値が極めて小さいことが学習され得る。
【実施例６】
【０２９１】
８０ＭＨｚ帯域幅には、１０２４個のサブキャリアを有する。図１ｃに示されているように、異なるリソースブロックサイズに従って、ＲＵサイズは２６、５２、１０６、２４２、４８４、または９９６個のサブキャリアであってよい。
【０２９２】
８０ＭＨｚ送信における９９６個のサブキャリアの４ｘシンボルには、多くのタイプのＨＥ−ＬＴＦシーケンスが存在してよい。ＨＥ−ＬＴＦシーケンスのいくつかのタイプが下に示されている。
【０２９３】
８０ＭＨｚ送信における第１の４ｘ  ＨＥ−ＬＴＦシーケンスは次のとおりである。
【０２９４】
【数５８】
0006463552.tif 000095
【０２９５】
ここで、
【０２９６】
【数５９】
0006463552.tif 000096
【０２９７】
である。
【０２９８】
0006463552.tif 000097
【０２９９】
0006463552.tif 000098
【０３００】
ＨＥ−ＬＴＦシーケンスは、次のように直接格納されてもよい。
【０３０１】
【数６０−１】
0006463552.tif 000099
【０３０２】
【数６０−２】
0006463552.tif 000100
【０３０３】
【数６０−３】
0006463552.tif 000101
【０３０４】
図１４は、８０ＭＨｚ帯域幅でのＨＥ−ＬＴＦシーケンスのＰＡＰＲ値を示している。ＰＡＰＲ値のグループによれば、異なる回転位相がパイロットサブキャリアおよびその他のサブキャリアに導入された場合でも、ＰＡＰＲ値が極めて小さいことが学習され得る。
【０３０５】
８０ＭＨｚ帯域幅の４ｘモードでの第２のＨＥ−ＬＴＦシーケンスは次のとおりである。
【０３０６】
【数６１】
0006463552.tif 000102
【０３０７】
ここで、
【０３０８】
【数６２】
0006463552.tif 000103
【０３０９】
である。
【０３１０】
0006463552.tif 000104
【０３１１】
0006463552.tif 000105
【０３１２】
ＨＥ−ＬＴＦシーケンスは、次のように直接格納されてもよい。
【０３１３】
【数６３−１】
0006463552.tif 000106
【０３１４】
【数６３−２】
0006463552.tif 000107
【０３１５】
【数６３−３】
0006463552.tif 000108
【０３１６】
８０ＭＨｚ帯域幅の４ｘモードで第２のＨＥ−ＬＴＦシーケンスが使用された後に、第２のＨＥ−ＬＴＦシーケンスに対応するＰＡＰＲ値は、第１のＨＥ−ＬＴＦシーケンスのＰＡＰＲ値と同じである。図１４を参照すると、ＰＡＰＲ値のグループによれば、異なる回転位相がパイロットサブキャリアおよびその他のサブキャリアに導入された場合でも、ＰＡＰＲ値が極めて小さいことが学習され得る。
【実施例７】
【０３１７】
１６０ＭＨｚ帯域幅の４ｘシンボルのサブキャリア設計は、８０ＭＨｚ帯域幅の４ｘシンボルの２つのサブキャリア設計を接合することによって取得されてよい。一次８０Ｍ帯域および二次８０Ｍ帯域は連続的に接合されるか、または特定の帯域幅の間隔（例えば、１００ＭＨｚの間隔）で分離されてよい。加えて、一次８０Ｍ帯域および二次８０Ｍ帯域の連続する帯域位置は、実例に従って柔軟に調整されてよい。したがって、一次８０Ｍ帯域の４ｘ  ＨＥ−ＬＴＦシーケンス（ＬＴＦ80 MHz_prime）および二次８０Ｍ帯域の４ｘ  ＨＥ−ＬＴＦシーケンス（ＬＴＦ80 MHz_second）は別々に定義されてよく、極性は、８０Ｍシーケンス全体を単位として使用することによって、一次８０Ｍ帯域と二次８０Ｍ帯域の間の間隔および一次８０Ｍ帯域と二次８０Ｍ帯域の連続的順序に従って、より低いＰＡＰＲを取得するように柔軟に調整される。
【０３１８】
説明を簡単にするために、Ｐ１が一次８０Ｍシーケンスの極性調整係数を示すために使用され、Ｐ２が二次８０Ｍシーケンスの極性調整係数を示すために使用される。Ｐ１が常に＋１である場合、Ｐ２は＋１または−１であってよい。その場合、２つの８０Ｍチャネルの配置関連性が［一次８０Ｍ、二次８０Ｍ］であるとき、１６０Ｍシーケンスは、
【０３１９】
【数６４】
0006463552.tif 000109
【０３２０】
であり、２つの８０Ｍチャネルの配置関連性が［二次８０Ｍ、一次８０Ｍ］であるとき、１６０Ｍシーケンスは、
【０３２１】
【数６５】
0006463552.tif 000110
【０３２２】
である。ＢＩは、２個の８０Ｍチャネルのエッジサブキャリア間の周波数間隔を示す。
【０３２３】
一次８０Ｍチャネルおよび二次８０Ｍチャネルが隣接している場合、ＢＩ＝ｚｅｒｏｓ（１、２３）、つまり、２３個の０であり、ＨＥ−ＬＴＦ160MHzシーケンスは次のように表されてよい。
【０３２４】
［一次８０Ｍ、二次８０Ｍ］のケースでは、
【０３２５】
【数６６】
0006463552.tif 000111
【０３２６】
［二次８０Ｍ、一次８０Ｍ］のケースでは、
【０３２７】
【数６７】
0006463552.tif 000112
【０３２８】
ここで、ｚｅｒｏｓ（１、２３）は２３個の０を示し、表示されていない残りのサブキャリアを示す数値（例えば、−１０２４：−１０１３および１０１３：１０２３）に対応する位置での値は、デフォルトでは０である。
【０３２９】
一次８０Ｍチャネルおよび二次８０Ｍチャネルが隣接していない場合、それに応じてＢＩが調整されてよい。
【０３３０】
この実施形態では、一次８０ＭＨｚ（ＬＴＦ80 MHz_prime）帯域幅に対応する９９６−サブキャリアの４Ｘシンボル上でのＨＥ−ＬＴＦシーケンスは、実施例６における８０ＭＨｚ帯域幅の４ｘモードでの第１のＨＥ−ＬＴＦシーケンスであり、一次８０ＭＨｚ帯域幅の９９６−サブキャリアの４ＸシンボルでのＨＥ−ＬＴＦシーケンスは、次のように表されてよい。
【０３３１】
【数６８】
0006463552.tif 000113
【０３３２】
ＨＥ−ＬＴＦシーケンスは、次のように表されてもよい。
【０３３３】
【数６９−１】
0006463552.tif 000114
【０３３４】
【数６９−２】
0006463552.tif 000115
【０３３５】
前述のＬＴＦ80 MHz_primeは、次のように表されてもよい。
【０３３６】
【数７０】
0006463552.tif 000116
【０３３７】
１ｓｔ−４８４−ＲＵは、次式によって表される。
【０３３８】
【数７１】
0006463552.tif 000117
【０３３９】
ｃｅｎｔｒａｌ−２６−ＲＵは、次式によって表される。
【０３４０】
【数７２】
0006463552.tif 000118
【０３４１】
２ｎｄ−４８４−ＲＵは、次式によって表される。
【０３４２】
【数７３】
0006463552.tif 000119
【０３４３】
二次８０ＭＨｚ（ＬＴＦ80 MHz_second）帯域幅の９９６−サブキャリアの４Ｘシンボル上のＨＥ−ＬＴＦシーケンスは、１ｓｔ−４８４−ＲＵ、２ｎｄ−４８４−ＲＵ、および新しいｃｅｎｔｒａｌ−２６−ＲＵ（ｎｅｗＣｅｎｔｒａｌ−２６−ＲＵ）によって形成され、ｎｅｗＣｅｎｔｒａｌ−２６−ＲＵは次のように表されてよい。
【０３４４】
【数７４】
0006463552.tif 000120
【０３４５】
ＬＴＦ80 MHz_secondは、次のように表されてよい。
【０３４６】
【数７５】
0006463552.tif 000121
【０３４７】
ＬＴＦ80 MHz_secondは、次のように表されてもよい。
【０３４８】
【数７６−１】
0006463552.tif 000122
【０３４９】
【数７６−２】
0006463552.tif 000123
【０３５０】
【数７６−３】
0006463552.tif 000124
【０３５１】
下の表は、一次８０ＭＨｚ帯域幅および二次８０ＭＨｚ帯域幅の極性調整係数を、２つの帯域順序および様々な周波数間隔で示している。一次／二次チャネル間隔は、２つの８０Ｍ帯域の中央の周波数間隔を指している（８０ＭＨｚの間隔は、２つの隣接する８０Ｍチャネルの接合を指している）。具体的には、様々なケースにおいて、対応するＰＡＰＲ値に関してこの表を参照することとし、ＰＡＰＲ値はデータとパイロットの間の４つの位相差の最大値である。
【０３５２】
【表１】
0006463552.tif 000125
【０３５３】
加えて、システム実装の複雑さを低減するために、ＰＡＰＲ性能を特定の範囲まで犠牲にすることが選択されてもよい。様々なケースにおいて、１６０Ｍ帯域幅の４ｘでＨＥ−ＬＴＦシーケンスを取得するために、一次８０Ｍシーケンスおよび二次８０Ｍシーケンスが直接接合され、つまり、［一次８０Ｍ、二次８０Ｍ］のすべてのケースにおいて、［Ｐ１、Ｐ２］＝［＋１、＋１］または［Ｐ１、Ｐ２］＝［＋１、−１］の極性調整係数が使用される。［二次８０Ｍ、一次８０Ｍ］の場合、［Ｐ２、Ｐ１］＝［＋１、＋１］または［Ｐ２、Ｐ１］＝［−１、＋１］の極性調整係数が使用される。
【実施例８】
【０３５４】
１６０ＭＨｚ帯域幅の２ｘシンボルでのサブキャリア設計は、８０ＭＨｚ帯域幅の２ｘシンボルの２つのサブキャリア設計を接合することによって取得されてよい。一次８０Ｍ帯域および二次８０Ｍ帯域は連続的に接合されるか、または特定の帯域幅の間隔（例えば、１００ＭＨｚの間隔）で分離されてよい。加えて、一次８０Ｍ帯域および二次８０Ｍ帯域の連続する帯域位置は、実例に従って柔軟に調整されてよい。したがって、一次８０Ｍ帯域の２ｘ  ＨＥ−ＬＴＦシーケンス（ＬＴＦ80 MHz_prime）および二次８０Ｍ帯域の２ｘ  ＨＥ−ＬＴＦシーケンス（ＬＴＦ80 MHz_second）は別々に定義されてよく、極性は、８０Ｍシーケンス全体を単位として使用することによって、一次８０Ｍ帯域と二次８０Ｍ帯域の間の間隔および連続的帯域順序に従って、より低いＰＡＰＲを取得するように柔軟に調整される。
【０３５５】
説明を簡単にするために、Ｐ１が一次８０Ｍシーケンスの極性調整係数を示すために使用され、Ｐ２が二次８０Ｍシーケンスの極性調整係数を示すために使用される。Ｐ１が常に＋１である場合、Ｐ２は＋１または−１であってよい。その場合、２つの８０Ｍチャネルの配置関連性が［一次８０Ｍ、二次８０Ｍ］であるとき、１６０Ｍシーケンスは、
【０３５６】
【数７７】
0006463552.tif 000126
【０３５７】
であり、２つの８０Ｍチャネルの配置関連性が［二次８０Ｍ、一次８０Ｍ］であるとき、１６０Ｍシーケンスは、
【０３５８】
【数７８】
0006463552.tif 000127
【０３５９】
である。ＢＩは、２つの８０Ｍチャネルのエッジサブキャリア間の周波数間隔を示す。
【０３６０】
一次８０Ｍチャネルおよび二次８０Ｍチャネルが隣接している場合、ＢＩ＝ｚｅｒｏｓ（１、１１）、つまり、１１個の０であり、ＨＥ−ＬＴＦ160 MHzシーケンスは次のように表されてよい。
【０３６１】
［一次８０Ｍ、二次８０Ｍ］のケースでは、
【０３６２】
【数７９】
0006463552.tif 000128
【０３６３】
［二次８０Ｍ、一次８０Ｍ］のケースでは、
【０３６４】
【数８０】
0006463552.tif 000129
【０３６５】
ここで、ｚｅｒｏｓ（１、１１）は１１個の０を示し、示されていない残りのサブキャリアを示す数値（例えば、−１０２４：−１０１３、１０１３：１０２３、および−１０１１：２：１０１１）に対応する位置での値は、デフォルトでは０である。
【０３６６】
一次８０Ｍチャネルおよび二次８０Ｍチャネルが隣接していない場合、それに応じてＢＩが調整されてよい。
【０３６７】
この実施形態では、８０ＭＨｚ（ＬＴＦ80 MHz_prime）帯域幅に対応する一次２Ｘシンボル上のＨＥ−ＬＴＦシーケンスは、実施例３における８０ＭＨｚの２Ｘの第２のＨＥ−ＬＴＦシーケンスであり、一次８０ＭＨｚ帯域幅の２Ｘシンボル上のＨＥ−ＬＴＦシーケンスは、次のように表されてよい。
【０３６８】
【数８１】
0006463552.tif 000130
【０３６９】
ＨＥ−ＬＴＦシーケンスは、次のように表されてもよい。
【０３７０】
【数８２−１】
0006463552.tif 000131
【０３７１】
【数８２−２】
0006463552.tif 000132
【０３７２】
前述のＬＴＦ80 MHz_primeは、次のように表されてもよい。
【０３７３】
【数８３】
0006463552.tif 000133
【０３７４】
１ｓｔ−４８４−ＲＵは、次式によって表される。
【０３７５】
【数８４】
0006463552.tif 000134
【０３７６】
ｃｅｎｔｒａｌ−２６−ＲＵは、次式によって表される。
【０３７７】
【数８５】
0006463552.tif 000135
【０３７８】
２ｎｄ−４８４−ＲＵは、次式によって表される。
【０３７９】
【数８６】
0006463552.tif 000136
【０３８０】
二次８０ＭＨｚ（ＬＴＦ80 MHz_second）帯域幅の２Ｘシンボル上のＨＥ−ＬＴＦシーケンスは、１ｓｔ−４８４−ＲＵ、２ｎｄ−４８４−ＲＵ、および新しいｃｅｎｔｒａｌ−２６−ＲＵ（ｎｅｗＣｅｎｔｒａｌ−２６−ＲＵ）によって形成され、ｎｅｗＣｅｎｔｒａｌ−２６−ＲＵは次のように表されてよい。
【０３８１】
【数８７】
0006463552.tif 000137
【０３８２】
ＬＴＦ80 MHz_secondは、次のように表されてよい。
【０３８３】
【数８８】
0006463552.tif 000138
【０３８４】
ＬＴＦ80 MHz_secondは、次のように表されてもよい。
【０３８５】
【数８９−１】
0006463552.tif 000139
【０３８６】
【数８９−２】
0006463552.tif 000140
【０３８７】
下の表は、一次８０ＭＨｚ帯域幅および二次８０ＭＨｚ帯域幅の極性調整係数を、２つの帯域順序および様々な周波数間隔で示している。一次／二次チャネル間隔は、２つの８０Ｍ帯域の中央の周波数間隔を指している（８０ＭＨｚの間隔は、２つの隣接する８０Ｍチャネルの接合を意味する）。具体的には、様々なケースにおいて、対応するＰＡＰＲ値に関してこの表を参照することとし、ＰＡＰＲ値はデータとパイロットの間の４つの位相差の最大値である。
【０３８８】
【表２】
0006463552.tif 000141
【０３８９】
加えて、システム実装の複雑さを低減するために、ＰＡＰＲ性能を特定の範囲まで犠牲にすることが選択されてもよい。様々なケースにおいて、１６０Ｍ帯域幅の２ｘでＨＥ−ＬＴＦシーケンスを取得するために、一次８０Ｍシーケンスおよび二次８０Ｍシーケンスが直接接合され、つまり、［一次８０Ｍ、二次８０Ｍ］のすべてのケースにおいて、［Ｐ１、Ｐ２］＝［＋１、＋１］または［Ｐ１、Ｐ２］＝［＋１、−１］の極性調整係数が使用される。［二次８０Ｍ、一次８０Ｍ］の場合、［Ｐ２、Ｐ１］＝［＋１、＋１］または［Ｐ２、Ｐ１］＝［−１、＋１］の極性調整係数が使用される。
【０３９０】
様々な帯域幅の２ｘモードまたは４ｘモードでの前述のＨＥ−ＬＴＦシーケンスは、単に具体例である。これらの好ましいシーケンスは、相対的に低いＰＡＰＲ値を持っている。もっとも、本発明の実施形態は、別のＨＥ−ＬＴＦシーケンスをさらに有してもよく、このＨＥ−ＬＴＦシーケンスは、この実施形態において述べられたシーケンスの特徴を満たし、前述された生成方法を使用することによって取得されてよい。
【０３９１】
それに対応して、別の実施形態が、ＯＦＤＭＡ技術を使用するワイヤレスローカルエリアネットワークにおいて適用されるＨＥ−ＬＴＦ処理装置（図示されていない）を提供する。ＨＥ−ＬＴＦ処理装置は、前述の実装において方法を実行するように構成された処理ユニットを含む。フレームの具体的な構造および内容については、前述の実施形態を参照することとし、詳細は本明細書で再び説明されない。この処理ユニットは、汎用プロセッサ、デジタル信号プロセッサ、特定用途向け集積回路、フィールドプログラマブルゲートアレイもしくは別のプログラマブル論理デバイス、個別のゲートもしくはトランジスタ論理デバイス、または個別のハードウェアコンポーネントであってよく、本発明の実施形態において開示された方法、ステップ、および論理ブロック図を実装または実行してよい。この汎用プロセッサは、マイクロプロセッサ、任意の従来のプロセッサ、または同様のものであってよい。本発明の実施形態を参照して開示された方法のステップは、ハードウェアプロセッサを用いて直接実行および完了されてよく、またはプロセッサにおいてハードウェアモジュールとソフトウェアモジュールの組合せを使用することによって実行および完了されてよい。前述のＨＥ−ＬＴＦ処理装置がアクセスポイントまたは基地局に配置されてよいことは、容易に理解されることができる。
【０３９２】
図１５は、本発明の別の実施形態に従うアクセスポイントのブロック図である。図１５におけるアクセスポイントは、インターフェース１０１、処理ユニット１０２、およびメモリ１０３を含む。処理ユニット１０２は、アクセスポイント１００の動作を制御する。メモリ１０３は、読み取り専用メモリおよびランダムアクセスメモリを含んでよく、命令およびデータを処理ユニット１０２に提供する。メモリ１０３の一部は、不揮発性ランダムアクセスメモリ（ＮＶＲＡＭ）をさらに含んでよい。アクセスポイント１００のコンポーネントは、バスシステム１０９を使用することによって一緒に結合され、バスシステム１０９はデータバスを含み、電力バス、制御バス、および状態信号バスをさらに含む。ただし、明確な説明を簡単にするために、図１５における様々なバスは、バスシステム１０９としてすべて示されている。
【０３９３】
本発明の前述の実施形態において開示された前述の様々なフレームを送信するための方法は、処理ユニット１０２において適用されてよく、または処理ユニット１０２によって実装されてよい。実装処理において、前述の方法のステップは、処理ユニット１０２内のハードウェアの集積論理回路またはソフトウェアの形態での命令を使用することによって実行されてよい。この処理ユニット１０２は、汎用プロセッサ、デジタル信号プロセッサ、特定用途向け集積回路、フィールドプログラマブルゲートアレイもしくは別のプログラマブル論理デバイス、個別のゲートもしくはトランジスタ論理デバイス、または個別のハードウェアコンポーネントであってよく、本発明の実施形態において開示された方法、ステップ、および論理ブロック図を実装または実行してよい。この汎用プロセッサは、マイクロプロセッサ、任意の従来のプロセッサ、または同様のものであってよい。本発明の実施形態を参照して開示された方法のステップは、ハードウェアプロセッサを用いて直接実行および完了されてよく、またはプロセッサにおいてハードウェアモジュールとソフトウェアモジュールの組合せを使用することによって実行および完了されてよい。ソフトウェアモジュールは、ランダムアクセスメモリ、フラッシュメモリ、読み取り専用メモリ、プログラマブル読み取り専用メモリ、電気的消去可能プログラマブルメモリ、またはレジスタなどの、本分野における成熟したストレージ媒体に配置されてよい。ストレージ媒体は、メモリ１０３に配置され、処理ユニット１０２はメモリ１０３内の情報を読み取り、処理ユニット１０２のハードウェアと組み合わせて前述の方法のステップを実行する。
【０３９４】
図１６は、本発明の別の実施形態に従う基地局のブロック図である。図１６におけるアクセスポイントは、インターフェース１１１、処理ユニット１１２、およびメモリ１１３を含む。処理ユニット１１２は、基地局１１０の動作を制御する。メモリ１１３は、読み取り専用メモリおよびランダムアクセスメモリを含んでよく、命令およびデータを処理ユニット１１２に提供する。メモリ１１３の一部は、不揮発性ランダムアクセスメモリ（ＮＶＲＡＭ）をさらに含んでよい。基地局１１０のコンポーネントは、バスシステム１１９を使用することによって一緒に結合され、バスシステム１１９はデータバスを含み、電源バス、制御バス、および状態信号バスをさらに含む。ただし、明確な説明を簡単にするために、図１６における様々なバスは、バスシステム１１９としてすべて示されている。
【０３９５】
本発明の前述の実施形態において開示された前述の様々なフレームを送信するための方法は、処理ユニット１１２において適用されてよく、または処理ユニット１１２によって実装されてよい。実装処理において、前述の方法のステップは、処理ユニット１１２内のハードウェアの集積論理回路またはソフトウェアの形態での命令を使用することによって実行されてよい。この処理ユニット１１２は、汎用プロセッサ、デジタル信号プロセッサ、特定用途向け集積回路、フィールドプログラマブルゲートアレイもしくは別のプログラマブル論理デバイス、個別のゲートもしくはトランジスタ論理デバイス、または個別のハードウェアコンポーネントであってよく、本発明の実施形態において開示された方法、ステップ、および論理ブロック図を実装または実行してよい。この汎用プロセッサは、マイクロプロセッサ、任意の従来のプロセッサ、または同様のものであってよい。本発明の実施形態を参照して開示された方法のステップは、ハードウェアプロセッサを用いて直接実行および完了されてよく、またはプロセッサにおいてハードウェアモジュールとソフトウェアモジュールの組合せを使用することによって実行および完了されてよい。ソフトウェアモジュールは、ランダムアクセスメモリ、フラッシュメモリ、読み取り専用メモリ、プログラマブル読み取り専用メモリ、電気的消去可能プログラマブルメモリ、またはレジスタなどの、本分野における成熟したストレージ媒体に配置されてよい。ストレージ媒体は、メモリ１１３に配置され、処理ユニット１１２はメモリ１１３内の情報を読み取り、処理ユニット１１２のハードウェアと組み合わせて前述の方法のステップを完了する。
【０３９６】
具体的には、メモリ１１３は、前述の実施形態において述べられた方法を処理ユニット１１２が実行できるようにする命令を格納する。
【０３９７】
本明細書を通じて言及された「一実施形態」または「実施形態」は、実施形態に関連する特定の特性、構造、または特徴が本発明の少なくとも１つの実施形態に含まれることを示していることが理解されるべきである。したがって、本明細書全体を通じて現れる「一実施形態では」または「実施形態では」は、同じ実施形態を必ずしも意味しない。さらに、特定の特性、構造、または特徴は、任意の適切な手法で１つまたは複数の実施形態において結合されてよい。本発明の様々な実施形態において、前述の処理のシーケンス番号は、実行シーケンスを意味していない。処理の実行シーケンスは、処理の機能および内部論理に従って決定されるべきであり、本発明の実施形態の実装処理に対する制限と解釈されるべきではない。
【０３９８】
加えて、「システム」および「ネットワーク」という用語は、本明細書では、交換可能なように使用されてよい。本明細書における用語「および／または」は、関連付けられた対象を説明するための相関関係のみを表しており、３つの関係が存在することがあることを表している。例えば、Ａおよび／またはＢは、Ａのみが存在する、ＡとＢの両方が存在する、およびＢのみが存在するという３つのケースを表してよい。加えて、本明細書における「／」という文字は、関連付けられた対象間の「または」の関係を通常は示している。
【０３９９】
本発明の実施形態では、「Ａに対応するＢ」は、ＢがＡに関連付けられており、ＢがＡに従って決定されてよいことを示していることが理解されるべきである。ただし、Ａに従ってＢを決定することが、ＢがＡのみに従って決定されることを意味していないこと、つまり、ＢがＡおよび／またはその他の情報に従って決定されてもよいことがさらに理解されるべきである。
【０４００】
当業者であれば、本明細書で開示された実施形態において説明された例と組み合わせて、ユニットおよびアルゴリズムステップが、電子的ハードウェア、コンピュータソフトウェア、またはこれらの組合せによって実装されてよいことに気づきうる。ハードウェアとソフトウェアの間での互換性を明確に説明するために、前述は、機能に従って各実施形態の構成およびステップについて一般的に説明した。機能がハードウェアまたはソフトウェアによって実行されるかは、技術的解決策の特定の適用および設計制約条件に依る。当業者は、それぞれの特定の適用について説明された機能を実装するために異なる方法を用いてもよいが、その実装が本発明の範囲を越えると見なされるべきではない。
【０４０１】
説明を簡便かつ簡単にする目的で、前述のシステム、装置、およびユニットの詳細な動作処理に関して、前述の方法の実施形態における対応する処理に対する参照が行われることがあり、その詳細が本明細書において説明されないことが、当業者によって明確に理解されるであろう。
【０４０２】
本出願において提供されている複数の実施形態では、開示されたシステム、装置、および方法が、他の手法で実装されることがあると理解されるべきである。例えば、説明された装置の実施形態は、単なる例である。例えば、ユニット分割は、単に論理的機能分割であり、実際の実装では他の分割であってよい。例えば、複数のユニットまたはコンポーネントが別のシステムに結合または統合されてよく、または一部の特徴が無視されるか、もしくは実行されなくてよい。加えて、示されたか説明された相互結合、または直接的結合、または通信接続は、何らかのインターフェースを使用することによって実装されてよい。装置間またはユニット間の間接的結合または通信接続は、電子的、機械的、またはその他の形態で実装されてよい。
【０４０３】
別々の部分として説明されたユニットは、物理的に分かれていても分かれていなくてもよく、ユニットとして示された部分は、物理的ユニットであってもなくてもよく、１か所に配置されてよく、または複数のネットワークユニットに分散されてよい。本発明の実施形態の解決策の目的を達成するために、実際の必要性に応じてユニットの一部または全部が選択されてよい。
【０４０４】
加えて、本発明の実施形態における機能ユニットは、１つの処理ユニットに統合されてよく、または各ユニットが物理的に単独で存在してよく、または２つ以上のユニットが１つのユニットに統合されてよい。統合されたユニットは、ハードウェアの形態で実装されてよく、またはソフトウェア機能ユニットの形態で実装されてよい。
【０４０５】
前述の実施形態の説明により、当業者は、本発明がハードウェア、ファームウェア、またはこれらの組合せによって実装されてよいことを明確に理解し得る。本発明がソフトウェアによって実装された場合、前述の機能は、コンピュータ可読媒体に格納されるか、またはコンピュータ可読媒体内の１つまたは複数の命令またはコードとして送信されてよい。コンピュータ可読媒体はコンピュータストレージ媒体および通信媒体を含み、この通信媒体は、コンピュータプログラムが、ある場所から別の場所に送信されることを可能にする任意の媒体を含む。ストレージ媒体は、コンピュータがアクセスできる任意の使用可能な媒体であってよい。以下に例を示すが、制限を課すものではない。コンピュータ可読媒体は、ＲＡＭ、ＲＯＭ、ＥＥＰＲＯＭ、ＣＤ−ＲＯＭ、または別の光ディスクストレージもしくはディスクストレージ媒体、または別の磁気ストレージデバイス、または期待されるプログラムコードを命令もしくはデータ構造の形態で運ぶか、もしくは格納することができ、コンピュータによってアクセスされることが可能な任意のその他の媒体を含んでよい。加えて、任意の接続がコンピュータ可読媒体として適切に定義されてよい。例えば、ソフトウェアが、同軸ケーブル、光ファイバ／ケーブル、ツイストペア、デジタルＳＴＡライン（ＤＳＬ）、もしくは赤外線、無線、およびマイクロ波などのワイヤレス技術を使用することによって、Ｗｅｂサイト、サーバ、または別のリモートソースから送信される場合、同軸ケーブル、光ファイバ／ケーブル、ツイストペア、ＤＳＬ、もしくは赤外線、無線、およびマイクロ波などのワイヤレス技術が、これらが属する媒体の定義に含まれる。例えば、本発明によって使用されるディスク（Ｄｉｓｋ）およびディスク（ｄｉｓｃ）は、コンパクトディスクＣＤ、レーザーディスク、光ディスク、デジタル多用途ディスク（ＤＶＤ）、フロッピーディスク、およびブルーレイディスクを含み、ディスクは通常、磁気的手段によってデータをコピーし、ディスクはレーザーによる手段によって光学的データをコピーする。前述の組合せも、コンピュータ可読媒体の保護の範囲に含まれるべきである。
【０４０６】
要約すると、前述されたことは、本発明の技術的解決策の実施形態の単なる例であるが、本発明の保護の範囲を制限するよう意図されていない。本発明の思想および原理から逸脱することなく行われる任意の修正、同等の置き換え、または改良は、本発明の保護の範囲に含まれるものとする。
【図１ａ】
0006463552.tif 000182
【図１ｂ】
0006463552.tif 000183
【図１ｃ】
0006463552.tif 000184
【図２ａ】
0006463552.tif 000185
【図２ｂ】
0006463552.tif 000186
【図３】
0006463552.tif 000187
【図４】
0006463552.tif 000188
【図５ａ】
0006463552.tif 000189
【図５ｂ】
0006463552.tif 000190
【図５ｃ】
0006463552.tif 000191
【図５ｄ】
0006463552.tif 000192
【図６】
0006463552.tif 000193
【図７ａ】
0006463552.tif 000194
【図７ｂ】
0006463552.tif 000195
【図８ａ】
0006463552.tif 000196
【図８ｂ】
0006463552.tif 000197
【図９】
0006463552.tif 000198
【図１０】
0006463552.tif 000199
【図１１】
0006463552.tif 000200
【図１２】
0006463552.tif 000201
【図１３】
0006463552.tif 000202
【図１４】
0006463552.tif 000203
【図１５】
0006463552.tif 000204
【図１６】
0006463552.tif 000205